(57)【要約】【課題】賞品を収納する複数の収納部と表示部とを備え、表示部の表示に関して使い勝手の向上を図れる賞品払出装置を提供する。【解決手段】賞品払出装置３は、賞品Ｐの払出口１３Ｃが設けられた装置本体１１と、装置本体１１に設けられて賞品Ｐを収納する複数の収納部３５と、表示部１８と、払出部４９とを含む。表示部１８は、複数の収納部３５のうち、これから払出口１３Ｃに賞品Ｐを払い出す対象となる払出対象収納部についての情報を強調表示する。払出部４９は、払出対象収納部内の賞品Ｐを払出口１３Ｃに払い出す。【選択図】図９
2020162727.tif 000002
【特許請求の範囲】
【請求項１】
賞品の払出口が設けられた装置本体と、
前記装置本体に設けられ、賞品を収納する複数の収納部と、
前記複数の収納部のうち、これから前記払出口に賞品を払い出す対象となる払出対象収納部についての情報を強調表示する表示部と、
前記払出対象収納部内の賞品を前記払出口に払い出す払出部とを含む、賞品払出装置。
【請求項２】
前記払出対象収納部は、賞品の収納数が端数になった収納部である、請求項１に記載の賞品払出装置。
【請求項３】
前記複数の収納部の中から前記払出対象収納部を選択するために操作される操作部をさらに含む、請求項１または２に記載の賞品払出装置。
【請求項４】
前記複数の収納部の中から前記払出対象収納部を選択する選択部をさらに含む、請求項１〜３のいずれか一項に記載の賞品払出装置。
【請求項５】
前記複数の収納部において賞品の払い出す優先順位を指定する指定部をさらに含む、請求項１〜４のいずれか一項に記載の賞品払出装置。
【請求項６】
前記払出対象収納部は、前記優先順位の最上位に設定される、請求項５に記載の賞品払出装置。
【請求項７】
前記表示部は、前記払出対象収納部についての情報を、前記装置本体における前記収納部の配置に合わせて表示する、請求項１〜６のいずれか一項に記載の賞品払出装置。
【発明の詳細な説明】
【技術分野】
【０００１】
この発明は、賞品払出装置に関する。
【背景技術】
【０００２】
下記特許文献１には、パチンコ店等の遊技施設に設置される物品収納装置が開示されている。物品収納装置は、遊技客向けの賞品を収納する複数のセット部を内蔵した収納ユニットと、収納ユニットを収容し、賞品の払出口が形成された装置本体と、装置本体に設けられ、使用者向けの情報が表示される表示操作部とを含む。
【先行技術文献】
【特許文献】
【０００３】
【特許文献１】特開２０１８−１４００５１号公報
【発明の概要】
【発明が解決しようとする課題】
【０００４】
特許文献１の物品収納装置では、どのセット部の賞品がこれから払出口に払い出されるのかを表示操作部において把握することができないので、使い勝手の点で改善の余地がある。
【０００５】
この発明は、かかる背景のもとでなされたもので、賞品を収納する複数の収納部と表示部とを備え、表示部の表示に関して使い勝手の向上を図れる賞品払出装置を提供することを目的とする。
【課題を解決するための手段】
【０００６】
本発明は、賞品の払出口が設けられた装置本体と、前記装置本体に設けられ、賞品を収納する複数の収納部と、前記複数の収納部のうち、これから前記払出口に賞品を払い出す対象となる払出対象収納部についての情報を強調表示する表示部と、前記払出対象収納部内の賞品を前記払出口に払い出す払出部とを含む、賞品払出装置である。
【０００７】
また、本発明は、前記払出対象収納部が、賞品の収納数が端数になった収納部であることを特徴とする。
【０００８】
また、本発明は、前記賞品払出装置が、前記複数の収納部の中から前記払出対象収納部を選択するために操作される操作部をさらに含むことを特徴とする。
【０００９】
また、本発明は、前記賞品払出装置が、前記複数の収納部の中から前記払出対象収納部を選択する選択部をさらに含むことを特徴とする。
【００１０】
また、本発明は、前記賞品払出装置が、前記複数の収納部において賞品の払い出す優先順位を指定する指定部をさらに含むことを特徴とする。
【００１１】
また、本発明は、前記払出対象収納部が、前記優先順位の最上位に設定されることを特徴とする。
【００１２】
また、本発明は、前記表示部が、前記払出対象収納部についての情報を、前記装置本体における前記収納部の配置に合わせて表示することを特徴とする。
【発明の効果】
【００１３】
本発明によれば、賞品を収納する複数の収納部と表示部とを備える賞品払出装置では、払出対象収納部についての情報が表示部に強調表示される。この情報を見た使用者は、複数の収納部のうち、払出対象収納部に該当する収納部内の賞品がこれから払出口に払い出されることを把握できる。そのため、表示部の表示に関して使い勝手の向上を図れる。
【００１４】
また、本発明によれば、払出対象収納部は、賞品の収納数が端数になった収納部である場合には、表示部に強調表示された払出対象収納部についての情報を見た使用者は、この収納部内の賞品がこれから払出口に払い出されることにより、この収納部が早く空になることを把握できる。
【００１５】
また、本発明によれば、使用者は、操作部を操作することによって払出対象収納部を選択することにより、自分が所望する収納部内の賞品が早く払い出されるように設定することができる。また、使用者は、この収納部内の賞品がこれから払出口に払い出されることを、表示部における払出対象収納部についての情報によって把握できる。
【００１６】
また、本発明によれば、払出対象収納部は、選択部によって賞品払出装置側で自動選択されてもよい。この場合、使用者は、自動選択された収納部内の賞品がこれから払出口に払い出されることを、表示部における払出対象収納部についての情報によって把握できる。
【００１７】
また、本発明によれば、複数の収納部において賞品の払い出す優先順位を指定できるので、指定された優先順位が最上位である収納部から順に賞品の払い出されるように設定することができる。
【００１８】
また、本発明によれば、払出対象収納部は、優先順位の最上位に設定されるので、払出対象収納部内の賞品が最優先で払い出されるように設定することができる。また、使用者は、払出対象収納部内の賞品がこれから払出口に払い出されることを、表示部における払出対象収納部についての情報によって把握できる。
【００１９】
また、本発明によれば、表示部には、払出対象収納部についての情報が、装置本体における収納部の配置に合わせて表示されるので、表示部を見た使用者は、装置本体においてどの位置にある払出対象収納部内の賞品がこれから払出口に払い出されるかを把握できる。そのため、表示部の表示に関して使い勝手の向上を図れる。
【図面の簡単な説明】
【００２０】
【図１】図１は、本発明の一実施形態に係る賞品払出システムの模式的な斜視図である。
【図２】図２は、賞品払出システムに用いられる通い箱の斜視図である。
【図３】図３は、賞品払出システムを構成する賞品払出装置における収納ユニットの模式的な斜視図である。
【図４】図４は、賞品の識別計数処理が可能な状態における賞品払出装置の内部の模式的な右側面図である。
【図５】図５は、収納部の内部の模式的な平面図である。
【図６】図６は、賞品払出装置の電気的構成を示すブロック図である。
【図７】図７は、賞品の補充処理が可能な状態における賞品払出装置の内部の模式的な右側面図である。
【図８】図８は、賞品払出装置の表示部における表示内容の一例を示す模式図である。
【図９】図９は、賞品の繰出払出処理が可能な状態における賞品払出装置の内部の模式的な右側面図である。
【図１０】図１０は、表示部における表示内容の一例を示す模式図である。
【図１１】図１１は、表示部における表示内容の一例を示す模式図である。
【図１２】図１２は、本発明の変形例に係る賞品払出システムの概念図である。
【図１３】図１３は、表示部における表示内容の一例を示す模式図である。
【図１４】図１４は、表示部における表示内容の一例を示す模式図である。
【図１５】図１５は、賞品払出システムにおける賞品の在庫管理を説明するための表である。
【図１６】図１６は、表示部における表示内容の一例を示す模式図である。
【図１７】図１７は、表示部における表示内容の一例を示す模式図である。
【図１８】図１８は、表示部における表示内容の一例を示す模式図である。
【図１９】図１９は、表示部における表示内容の一例を示す模式図である。
【図２０】図２０は、表示部における表示内容の一例を示す模式図である。
【図２１】図２１は、表示部における表示内容の一例を示す模式図である。
【図２２】図２２は、表示部における表示内容の一例を示す模式図である。
【図２３】図２３は、表示部における表示内容の一例を示す模式図である。
【図２４】図２４は、賞品払出装置内の要部の模式的な斜視図である。
【図２５】図２５は、賞品払出装置内の要部の模式的な平面図である。
【図２６】図２６は、左の収納ユニットが引き出されたときの賞品払出装置内の要部の模式的な平面図である。
【図２７】図２７は、中央の収納ユニットが引き出されたときの賞品払出装置内の要部の模式的な平面図である。
【図２８】図２８は、右の収納ユニットが引き出されたときの賞品払出装置内の要部の模式的な平面図である。
【図２９】図２９は、変形例に係る賞品払出装置内の要部の模式的な斜視図である。
【図３０】図３０は、変形例に係る賞品払出装置内の要部の模式的な平面図である。
【図３１】図３１は、左の収納ユニットが引き出されたときの賞品払出装置内の要部の模式的な平面図である。
【図３２】図３２は、中央の収納ユニットが引き出されたときの賞品払出装置内の要部の模式的な平面図である。
【図３３】図３３は、右の収納ユニットが引き出されたときの賞品払出装置内の要部の模式的な平面図である。
【発明を実施するための形態】
【００２１】
以下には、図面を参照して、この発明の実施形態について具体的に説明する。図１は、本発明の一実施形態に係る賞品払出システム１の模式的な斜視図である。賞品払出システム１は、例えばパチンコ店等の遊技施設に設置され、賞品管理装置２と賞品払出装置３とを含む。賞品管理装置２は、特殊賞品と呼ばれる賞品Ｐや、菓子等の一般賞品の在庫データ等を管理するＰＯＳ端末であって、遊技施設における受付カウンターＣ上に設置される。これらの賞品は、遊技客が獲得したパチンコ玉等の遊技媒体と受付カウンターＣにて交換される。
【００２２】
賞品Ｐの一例は、例えば数ミリ程度の厚さを有するカードである。この実施形態では、大賞品、中賞品および小賞品といった、金銭価値に応じた３種類の賞品Ｐが登場するが、大賞品よりも金銭価値の高い特大賞品が存在してもよい。賞品Ｐの表面の色は、賞品Ｐの種類毎に異なっている。一例として、大賞品の表面は赤色であり、中賞品の表面は青色であり、小賞品の表面は黄色である。賞品Ｐは、通い箱４に収容された状態にて市場に流通する。
【００２３】
賞品払出装置３は、賞品Ｐを払い出す装置であるとともに、賞品Ｐを保管する機能を有する賞品保管機でもあり、受付カウンターＣのフロアにおいて賞品管理装置２に隣接して配置されている。なお、賞品払出装置３は、受付カウンターＣ上に設置される卓上タイプであってもよい。賞品払出装置３は、ＬＡＮ（図示せず）等を介して賞品管理装置２に対して通信可能に接続されている。なお、図１では、１台の賞品管理装置２と１台の賞品払出装置３が接続されることによって賞品払出システム１を構成しているが、賞品払出システム１では、複数台の賞品管理装置２が１台の賞品払出装置３に接続されてもよいし、逆に、複数台の賞品払出装置３が１台の賞品管理装置２に接続されてもよい。
【００２４】
賞品払出装置３から賞品Ｐを払い出す際には、遊技施設において受付カウンターＣを担当する使用者である係員が、賞品管理装置２に設けられたスキャナ等の読取部（図示せず）によって遊技客のレシート等を読み取った後に、賞品管理装置２に設けられたキーボードやタッチパネル等の操作部５を操作する。すると、賞品管理装置２が賞品払出装置３に対して賞品Ｐを払い出すよう指示（以下では「払出指示」という。）を送るので、賞品払出装置３は、払出指示に応じた種類および個数の賞品Ｐを払い出す。これに応じて、賞品管理装置２は、賞品Ｐの在庫データを更新する。一方、遊技客によって遊技媒体と一般賞品との交換を依頼された係員は、指定された一般賞品を操作部５の操作によって選択してから、この一般賞品を遊技客に手渡す。賞品管理装置２は、操作部５の操作に応じて、この一般賞品の在庫データを更新する。
【００２５】
賞品払出装置３は、その外殻をなすボックス状に形成された装置本体１１と、装置本体１１内に設けられた複数（ここでは３つ）の収納ユニット１２とを含む。なお、図１の紙面の左右方向は、賞品払出装置３の左右方向Ｘと一致し、図１の紙面に略直交する方向は、賞品払出装置３の前後方向Ｙと一致し、図１の紙面の上下方向は、賞品払出装置３の上下方向Ｚと一致している。左右方向Ｘおよび前後方向Ｙは、横方向に含まれる。左右方向Ｘは、左側Ｘ１と右側Ｘ２とを含み、前後方向Ｙは、図１の紙面の手前側に一致した前側Ｙ１と、図１の紙面の奥側に一致した後側Ｙ２とを含み、上下方向Ｚは、上側Ｚ１と下側Ｚ２とを含む。
【００２６】
装置本体１１は、天板１３と、この天板１３を支持する左右一対の側板１４とを有している。天板１３の下面には、前後方向Ｙにスライド可能な複数（例えば収納ユニット１２と同数）の補助テーブル１５が、左右方向Ｘに並んで設けられている。前側Ｙ１へ引き出された補助テーブル１５は、天板１３を拡張するために機能するので、係員は、天板１３を広く使用することができる。これらの補助テーブル１５の下面には、前後方向Ｙにスライド可能な１つの引出し１６が設けられている。引出し１６には、事務用品等の備品や、遊技施設内の機器についての取扱説明書等の書類が収納される。装置本体１１には、その前面１１Ａのほぼ全域に亘る開口１１Ｂが形成されている。開口１１Ｂの上縁は、引出し１６によって仕切られている。開口１１Ｂは、装置本体１１の内部空間に連通している。
【００２７】
天板１３は、透明な板であり、より具体的にはアクリル板である。天板１３の上面は、装置本体１１の天面を構成している。天板１３の上面は、その略前半分を占める水平面である払出面１３Ａと、払出面１３Ａの後側Ｙ２において左右方向Ｘに延び、払出面１３Ａよりも一段高い段部１３Ｂとを含む。払出面１３Ａにおける後寄りの領域には、左右方向Ｘに長手の払出口１３Ｃが形成されている。払出口１３Ｃは、収納ユニット１２と同数（ここでは３つ）存在し、左右方向Ｘに並んで配置されている。
【００２８】
賞品払出装置３は、払出口１３Ｃを開閉するシャッタ１７と、操作部および指定部の一例としての表示部１８とをさらに含む。シャッタ１７は、左右方向Ｘに長手の板状に形成され、払出口１３Ｃと同数存在する。各シャッタ１７は、対応する払出口１３Ｃを閉じた閉位置（図１参照）と、段部１３Ｂ内に後退して払出口１３Ｃを開いた開位置（後述する図９参照）との間で前後方向Ｙにスライド可能である。各シャッタ１７は、モータ等の駆動部（図示せず）の駆動力によって開閉される。表示部１８は、例えばタッチパネルによって構成され、段部１３Ｂに固定されて受付カウンターＣの係員側に臨んでいる。表示部１８には、係員向けの情報が表示される。
【００２９】
収納ユニット１２は、賞品Ｐを通い箱４ごと収納するものである。この実施形態では、３つの収納ユニット１２が左右方向Ｘに並んでいる。図１に示すように装置本体１１内に目一杯収容された状態における収納ユニット１２は、前後方向Ｙにおける収容位置にある。図１に示すように全ての収納ユニット１２が収容位置にある場合には、これらの収納ユニット１２の前面が、面一となって開口１１Ｂを塞いだ状態にて、装置本体１１から前側Ｙ１に露出されている。収容位置にある各収納ユニット１２の真上には、装置本体１１の払出面１３Ａにおけるいずれか１つの払出口１３Ｃが位置している。
【００３０】
賞品払出装置３は、収納ユニット１２が１つずつ載せられて左右方向Ｘに並んだ３つのスライド部１９を含む。各スライド部１９は、水平に延びる板部１９Ａと、板部１９Ａの左右両端から下側Ｚ２へ延びる左右一対の脚部１９Ｂとを有する台であり、対応する収納ユニット１２の下部に板部１９Ａが固定される。スライド部１９を、その上に載せられた収納ユニット１２の一部とみなしてもよい。各スライド部１９は、装置本体１１の底壁１１Ｃに設けられたレール（図示せず）に各脚部１９Ｂがガイドされることによって、対応する収納ユニット１２を伴って前後方向Ｙにスライド可能である。これにより、各収納ユニット１２は、前述した収容位置から、前側Ｙ１の引出位置へ前後方向Ｙに引き出し可能である。
【００３１】
係員は、各収納ユニット１２の前面に設けられた取っ手１２Ａを操作することによって、収納ユニット１２を引出位置まで引き出したり、収容位置まで押し込んだりすることができる。なお、収納ユニット１２の移動は、係員の手動によって行われてもよいし、装置本体１１内に設けられたＤＣモータやステッピングモータ等の駆動装置により自動的に行われてもよい。その場合、例えば係員が取っ手１２Ａを手前に引くと収納ユニット１２が前進し、係員が取っ手１２Ａを後側Ｙ２に押すと収納ユニット１２が後退する。収納ユニット１２は、収容位置から引出待機位置（図示せず）まで一旦前進してから引き出されてもよい。装置本体１１には、各収納ユニット１２を収容位置においてロックしたり、そのロックを解除したりするロック機構２０（後述する図６を参照）が設けられている。ロック機構２０として、公知の構成を用いることができる。
【００３２】
収納ユニット１２について詳しく説明するのに先立って、通い箱４について説明する。図２は、通い箱４の斜視図である。通い箱４は、所定方向（図２では左右方向）に長手のボックス状に形成されていて、例えば樹脂製である。通い箱４は、対向配置された一対の側壁２１と、一対の側壁２１間に架設された少なくとも２つ（図２では６つ）の区画壁２２と、通い箱４の底をなす１つの閉塞壁２３とを一体的に含む。
【００３３】
一対の側壁２１は、通い箱４の長手方向Ｌにおいて長手の略長方形の板状に形成されていて、それぞれの板厚方向に沿って対向するように平行に配置されている。一対の側壁２１の対向方向は、通い箱４において長手方向Ｌに直交する短手方向Ｓである。また、通い箱４の深さ方向Ｄは、長手方向Ｌおよび短手方向Ｓの両方に直交している。
【００３４】
各区画壁２２は、長手方向Ｌに一致した板厚方向を有する略矩形の板状に形成されている。２つの区画壁２２が、一対の側壁２１において長手方向Ｌにおける一端縁間と他端縁間とに１つずつ架設され、残り４つの区画壁２２が、長手方向Ｌに等間隔で並んだ状態で一対の側壁２１の途中部間に架設されている。そのため、通い箱４には、大きさの等しい略直方体状の５つの収容空間２４が、長手方向Ｌに等間隔で並んで形成されている。
【００３５】
閉塞壁２３は、深さ方向Ｄに一致した板厚方向を有し、長手方向Ｌにおいて長手の略長方形の板状に形成されている。閉塞壁２３は、深さ方向Ｄにおける一方側（図２では下側）から各側壁２１および各区画壁２２に対して接続されていて、各収容空間２４を当該一方側から塞いでいる。各収容空間２４において深さ方向Ｄにおける他方側（図２では上側）の端部は、略矩形状の出入口２５として、当該他方側へ開放されている。
【００３６】
通い箱４は、出入口２５とは別に設けられた開口部２６を含む。開口部２６は、長手方向Ｌにおいて各収容空間２４と同じ位置に一対ずつ、この実施形態では５対設けられている。つまり、開口部２６は、短手方向Ｓにおける通い箱４の両側において、５つずつ長手方向Ｌに等間隔で並んで設けられている。各対における２つの開口部２６は、長手方向Ｌで同じ位置にあって、短手方向Ｓにおける通い箱４の中心を基準として対称になるように構成されている。各開口部２６は、収容空間２４を外部に露出させるスリット状であり、短手方向Ｓにおける閉塞壁２３の端部を切り欠きつつ、短手方向Ｓにおいて当該端部と同じ側にある側壁２１を深さ方向Ｄに沿って切り欠いて、出入口２５の手前まで直線状に延びている。なお、開口部２６の形状は、任意に変更できる。
【００３７】
賞品Ｐを収容して流通しているときの通い箱４の姿勢は、図２に示すように各出入口２５が上を向いた基本姿勢である。賞品Ｐは、出入口２５を介して各収容空間２４に収容される。各収容空間２４の大きさが等しいので、賞品Ｐは、所定数ずつ（この実施形態では２０個ずつ）、各収容空間２４に収容される。そのため、通い箱４全体では、最大で１００個の賞品Ｐを収容できる。複数の賞品Ｐは、それぞれの板厚方向が短手方向Ｓと一致して閉塞壁２３から起立した姿勢で、各収容空間２４に積層状態で収容され、その状態の各賞品Ｐでは、出入口２５側の部分が出入口２５からはみ出ている。また、前述した所定数の賞品Ｐが収容された収容空間２４（図２における右端の収容空間２４を参照）では、短手方向Ｓの両端に位置する賞品Ｐの一部が、短手方向Ｓにおける同じ側の開口部２６から露出されている。この実施形態では、１つの通い箱４に収容される複数の賞品Ｐの種類は、大賞品、中賞品および小賞品のいずれか一種類である。
【００３８】
次に、収納ユニット１２について詳しく説明する。図３は、収納ユニット１２の模式的な斜視図である。各収納ユニット１２は、前後方向Ｙに並ぶ２つの収納本体部３１と、これらの収納本体部３１の間に配置された繰出払出部３２とを含む。２つの収納本体部３１のうち、前側Ｙ１のものを前収納本体部３１Ａといい、後側Ｙ２のものを後収納本体部３１Ｂということがある。図３では、各収納本体部３１と繰出払出部３２との境界が１点鎖線で図示されている。収納本体部３１と繰出払出部３２とは一体化されていてもよいし、別々に存在して組み合わされることによって収納ユニット１２を構成してもよい。
【００３９】
各収納本体部３１は、その外殻をなすボックス状に形成された筐体３３を含む。収納ユニット１２の上面を構成する筐体３３の上面には、略矩形状の装填口３３Ａと、装填口３３Ａを開閉する略矩形板状の扉３３Ｂとが設けられている。扉３３Ｂは、前後方向Ｙにおいて繰出払出部３２に最も近い端部に設けられたヒンジ３３Ｃを介して筐体３３に連結されていて、ヒンジ３３Ｃまわりに回動することによって開閉される。前収納本体部３１Ａの筐体３３の前面は、取っ手１２Ａが設けられた収納ユニット１２の前面を構成している。
【００４０】
図４は、賞品払出装置３の内部の模式的な右側面図である。各収納ユニット１２における各収納本体部３１の筐体３３の内部には、左右一対の搬送体３４と、複数（ここでは６つ）の収納部３５とが設けられている。各搬送体３４は、無端状のチェーンまたはベルト（ここではチェーン）によって構成されており、左右方向Ｘから見て例えば略矩形の環状をなしている。搬送体３４は、モータ（図示せず）等の駆動部の駆動力を受けることによって、左右方向Ｘから見て時計回りおよび反時計回りのそれぞれの方向へ向けて周回移動する。この駆動部と搬送体３４とは、移動機構５０を構成する。
【００４１】
各収納部３５は、左右方向Ｘに長手のトレイ状に形成されている。各収納部３５の内部空間は、左右方向Ｘに長手となった通い箱４をちょうど収容できる大きさを有する。上向き姿勢の収納部３５（例えば図４における上端の収納部３５を参照）には、その上面を全域に亘って開放した出入口３５Ａと、前後の両側壁のそれぞれを切り欠いたスリット状の開口部（図示せず）とが形成されている。この開口部は、収納部３５の前壁および後壁において、通い箱４の開口部２６（図２参照）に合致する位置に同数形成され、左右方向Ｘに並んで配置されている。
【００４２】
各収納部３５には、通い箱４が１つずつ装填される。これにより、通い箱４内の賞品Ｐは、収納部３５内に収納されるとともに、収納ユニット１２内にも収納される。通い箱４が装填された収納部３５では、前述した開口部と通い箱４の開口部２６とが１つずつ整合している。また、この実施形態では、同じ種類の賞品Ｐが１つの通い箱４内に収納されるので、１つの収納部３５には、同じ種類の賞品Ｐが装填される。しかし、各収納ユニット１２内の前収納本体部３１Ａおよび後収納本体部３１Ｂのそれぞれにおいて、収納部３５毎に、賞品Ｐの種類が異なってもよい。つまり、各収納ユニット１２は、複数種類の賞品Ｐ（ここでは、大賞品、中賞品および小賞品）をまとめて収納している。
【００４３】
これらの収納部３５は、左右一対の搬送体３４の周回方向Ｒに沿って環状に並んで配置された状態で、これらの搬送体３４の間に架設されている。そのため、移動機構５０が作動することによって左右の搬送体３４が周回移動すると、これらの収納部３５は、搬送体３４とともに周回移動する。また、各収納部３５は、搬送体３４との連結部分において、左右方向Ｘに延びる回動軸線（図示せず）まわりに回動自在である。そのため、各収納部３５は、原則として、上向き姿勢を維持するように回動しながら、ゴンドラのように周回移動する。
【００４４】
図４を参照するとともに、収納ユニット１２の内部の模式的な平面図である図５も参照して、各収納本体部３１の内部において前後方向Ｙにおける外側の端部（前収納本体部３１Ａの場合は前端部であり、後収納本体部３１Ｂの場合は後端部）には、識別計数部３６が配置されている。識別計数部３６は、左右方向Ｘに延びるホルダ３７と、ホルダ３７において繰出払出部３２を臨む側面（前収納本体部３１Ａの場合は後面であり、後収納本体部３１Ｂの場合は前面）に設けられた識別部３８および計数部３９とを含む。左右方向Ｘに隣り合った識別部３８および計数部３９が１つの組を構成し、各識別計数部３６では、この組が、左右方向Ｘに等間隔で５組並んでいる。識別計数部３６は、収納本体部３１の筐体３３によって支持されており、ステッピングモータ等の駆動部（図示せず）の駆動力を受けて昇降する。
【００４５】
識別部３８の一例は、発光部（図示せず）および受光部（図示せず）を含んだカラーセンサである。この場合、発光部が、被検知物である賞品Ｐに対して光を照射し、その反射光を受光部が受光する。識別部３８は、この反射光をＲＧＢ値に変換して分析することによって賞品Ｐの表面の色を検知し、この検知結果に基づいて賞品Ｐの真偽や種類を識別する。なお、識別情報を記憶したＩＣチップが賞品Ｐに内蔵されていて、識別部３８は、非接触でＩＣチップから識別情報を読み取ることによって、賞品Ｐの真偽や種類を識別してもよい。
【００４６】
計数部３９の一例は、発光部（図示せず）および受光部（図示せず）を含んだ光学式の反射型センサである。この場合、発光部が、賞品Ｐに対して光を照射し、その反射光を受光部が受光する。計数部３９は、識別計数部３６の昇降に伴い、通い箱４において上下方向Ｚに積層された賞品Ｐの端部の凸形状を、発光部からの光によってなぞる。これによって、連続する複数の凸形状の輪郭にほぼ一致する波形データが得られるので、計数部３９は、この波形データにおける凸形状の数を数えることによって、賞品Ｐを計数することができる。
【００４７】
繰出払出部３２は、その外殻をなすボックス状に形成された筐体４０を含む。筐体４０の上面４０Ａには、左右方向Ｘに長手の出口４０Ｂが１つ形成されている（図３も参照）。出口４０Ｂは、筐体４０の内部空間４０Ｃを上側Ｚ１に露出させている。内部空間４０Ｃは、前収納本体部３１Ａおよび後収納本体部３１Ｂのそれぞれの筐体３３の内部空間に連通している。収納ユニット１２が収容位置にある状態では、この収納ユニット１２の出口４０Ｂが、左右方向Ｘにおいて同じ位置ある１つの払出口１３Ｃの真下に配置される。繰出払出部３２は、繰出機構４１および払出機構４２を含む。繰出機構４１は、左右一対設けられている。左右２つの繰出機構４１のうち、左側Ｘ１のものは、前収納本体部３１Ａ用の前繰出機構４１Ａであり、右側Ｘ２のものは、後収納本体部３１Ｂ用の後繰出機構４１Ｂである。各繰出機構４１は、単数または複数の繰出部４３を含む。
【００４８】
繰出部４３は、左右方向Ｘから見て略三角形の環状をなす無端状の繰出ベルト４４と、繰出ベルト４４の内側において略三角形の各頂点部分に１つずつ配置されたローラ４５と、例えばウレタンで構成された外周面を有する繰出ローラ４６と、繰出ベルト４４の外周面に設けられた繰出部材４７とを含む。繰出ベルト４４は、少なくもいずれかのローラ４５がモータ等の駆動部（図示せず）により駆動回転されることによって、周回移動する。繰出ローラ４６は、繰出ベルト４４を挟んでいずれかのローラ４５と対向しており、駆動回転される。繰出部材４７は、繰出ベルト４４の外周面から突出した爪状に形成され、各繰出ベルト４４において、複数の繰出部材４７が繰出ベルト４４の周回方向に沿って等間隔で設けられている。
【００４９】
各繰出機構４１は、モータ等の駆動部（図示せず）の駆動力を受けることによって、待機姿勢と繰出姿勢との間で姿勢変更可能である。待機姿勢にあるときの各繰出機構４１は、図４に示すように筐体４０の内部空間４０Ｃに収まっていて、各繰出部４３における繰出ベルト４４の平坦部分４４Ａが上下方向Ｚに沿っている。なお、共に待機姿勢にある前繰出機構４１Ａおよび後繰出機構４１Ｂは、実際には、左右方向Ｘから見て重なるように配置されている。繰出姿勢にあるときの前繰出機構４１Ａ（後述する図９を参照）では、繰出部４３が内部空間４０Ｃから前側Ｙ１へはみ出して、繰出部４３の繰出ベルト４４の平坦部分４４Ａが前後方向Ｙに沿って水平になっている。繰出姿勢にあるときの後繰出機構４１Ｂ（図９を参照）では、繰出部４３が内部空間４０Ｃから後側Ｙ２へはみ出して、繰出部４３の繰出ベルト４４の平坦部分４４Ａが前後方向Ｙに沿って水平になっている。繰出姿勢にあるときの各繰出機構４１では、繰出部４３が、モータ等の駆動部（図示せず）の駆動力を受けることによって左右方向Ｘにスライド可能である。
【００５０】
図５を参照して、筐体４０の内部空間４０Ｃにおける略上半分の領域は、筐体４０に固定された複数の鉛直な板状の仕切部４８によって、複数の縦長の繰出空間４０Ｄへと区画されている。繰出空間４０Ｄは、通い箱４の収容空間２４と同数（ここでは５つ）存在し、筐体４０の出口４０Ｂの真下において、左右方向Ｘに等間隔で並んでいる。
【００５１】
払出機構４２は、払出部４９を含む。払出部４９は、上下方向Ｚに一致した板厚方向を有する略矩形の板状であり、各繰出空間４０Ｄに１つずつ配置されており、合計で５つ存在する。払出機構４２は、全ての払出部４９を一括して保持する保持部（図示せず）を含む。全ての払出部４９は、モータ等の駆動部（図示せず）の駆動力を受けることによって、繰出空間４０Ｄの下端付近に設定された待機位置と、繰出空間４０Ｄの上端に設定された払出位置との間で、保持部と一体となって昇降する。
【００５２】
図６は、賞品払出装置３の電気的構成を示すブロック図である。賞品払出装置３は、選択部および指定部の一例としての制御部５１を含む。制御部５１は、ＣＰＵやＲＯＭやＲＡＭ等によって構成され、タイマ等を内蔵し、装置本体１１に設けられている。制御部５１には、シャッタ１７、表示部１８およびロック機構２０のそれぞれに関連した電気部品（例えば、前述した駆動部やセンサ等）が電気的に接続されている。また、制御部５１には、各収納ユニット１２が電気的に接続されている。具体的には、収納ユニット１２の各収納本体部３１において搬送体３４を周回移動させる移動機構５０が電気的に接続されている。また、制御部５１には、各収納ユニット１２の繰出払出部３２および各収納本体部３１の識別計数部３６に関連した電気部品が電気的に接続されている。
【００５３】
制御部５１は、これらの電気部品の動作を制御することによって、賞品Ｐを補充する補充処理と、賞品払出装置３の各収納ユニット１２内の賞品Ｐを識別および計数する識別計数処理と、各収納ユニット１２内の賞品Ｐを繰り出して機外（つまり装置本体１１の外）に払い出す繰出払出処理とを実行する。これらの処理に関連して、制御部５１は、表示部１８に必要な情報を表示したり、係員による表示部１８の操作に応じた指示や、賞品管理装置２からの払出指示を受け付けたりする。なお、制御部５１は、賞品管理装置２からの払出指示だけでなく、係員による表示部１８の操作に基いた払出指示を受け付けてもよい。
【００５４】
賞品払出装置３は、記憶部５２をさらに備えている。記憶部５２は、不揮発性メモリやハードディスクドライブといった記憶デバイスによって構成されている。記憶部５２は、制御部５１に電気的に接続されている。記憶部５２は、各収納部３５に装填された通い箱４内の賞品Ｐの種類および収納数（在庫数ともいう）等を収納部３５毎に記憶している。また、記憶部５２は、過去の異常履歴や賞品Ｐの払出履歴等の様々な情報も記憶している。
【００５５】
以下では、補充処理、識別計数処理および繰出払出処理について、この順番に説明する。補充処理の場合には、係員が、表示部１８を操作することによって、補充処理の対象となる収納ユニット１２を１つ選択する。すると、制御部５１は、選択された収納ユニット１２についてのロック機構２０によるロックを解除することによって、この収納ユニット１２の引出位置までの引き出しを許可する。次に、係員が、ロックが解除された収納ユニット１２の取っ手１２Ａを掴んで前側Ｙ１に引くと、この収納ユニット１２は、図７に示す引出位置まで引き出される。このように、一度に引き出させる収納ユニット１２は、１つだけである。
【００５６】
引出位置まで引き出された収納ユニット１２では、前収納本体部３１Ａおよび後収納本体部３１Ｂの両方が装置本体１１よりも前側Ｙ１に位置しており、これらの収納本体部３１の上面の装填口３３Ａが装置本体１１の外に配置されている。この状態において、係員が収納本体部３１（図７では前収納本体部３１Ａを参照）の扉３３Ｂを開いて装填口３３Ａを上側Ｚ１に開放する。扉３３Ｂが開くのに先立って制御部５１が搬送体３４を周回移動させ、これにより、空の２つの収納部３５が、装填口３３Ａの真下において前後に並んで配置される。空の収納部３５とは、通い箱４が装填されていない収納部３５、または、エンプティもしくはニアエンプティの状態の通い箱４が装填された収納部３５を指す。装填口３３Ａの前側領域および後側領域のそれぞれに、空の収納部３５が１つずつ配置される。前収納本体部３１Ａの装填口３３Ａにおいて、前側領域を補充口（１）といい、後側領域を補充口（２）といい、後収納本体部３１Ｂの装填口３３Ａにおいて、前側領域を補充口（３）といい、後側領域を補充口（４）という。
【００５７】
係員は、賞品Ｐを収容した基本姿勢の状態の通い箱４を、白抜き矢印で示すように下降させて装填口３３Ａを通過させ、装填位置にある上向き姿勢の収納部３５の出入口３５Ａに上側Ｚ１から挿入する。これにより、通い箱４が、装填位置の収納部３５に装填され、通い箱４内の賞品Ｐは、収納ユニット１２内に装填される。なお、通い箱４および収納部３５の一方に設けられた位置決めリブ（図示せず）が、他方に設けられた位置決め溝（図示せず）に嵌まり込むことによって、通い箱４と、この通い箱４が装填された収納部３５とが互いに位置決めされる。装填位置の収納部３５に通い箱４が装填されてから扉３３Ｂが閉じられると、他の空の収納部３５が装填位置に配置されるように、制御部５１が搬送体３４を周回移動させる。
【００５８】
他の空の収納部３５にも通い箱４が装填された後に、係員が、扉３３Ｂを閉じて、引出位置の収納ユニット１２の取っ手１２Ａを掴んで収容位置まで戻すと、制御部５１は、この収納ユニット１２を、ロック機構２０によって収容位置にてロックする。これにより、この収納ユニット１２についての補充処理が終了する。なお、この引出位置とは別の引出途中位置が設定され、引出途中位置まで引き出された収納ユニット１２では、前収納本体部３１Ａだけが装置本体１１よりも前側Ｙ１に位置し、前収納本体部３１Ａだけに賞品Ｐが装填できてもよい。
【００５９】
識別計数処理の場合、図４および図５を参照して、制御部５１は、搬送体３４を、前収納本体部３１Ａでは右側面視において反時計回りに周回移動させ、後収納本体部３１Ｂでは右側面視において時計回りに周回移動させる。そして、各収納本体部３１では、識別計数処理の対象となる収納部３５が、識別計数部３６の上方に配置された所定位置に上側Ｚ１から接近すると、第１の姿勢変更機構（図示せず）により、図４に示すように、出入口３５Ａが横を向いた横向き姿勢に傾倒する。なお、横向き姿勢の収納部３５では、セットされた通い箱４の出入口２５からの賞品Ｐの脱落を防止するために、出入口３５Ａが真横でなく、僅かに斜め上側へ向いている。
【００６０】
前収納本体部３１Ａでは、前側下端にある収納部３５が横向き姿勢にあって、この収納部３５の出入口３５Ａが前側Ｙ１を向いている。また、この収納部３５に装填された通い箱４も、出入口２５が前側Ｙ１を向いた横向き姿勢にあって、通い箱４内の賞品Ｐは、上下方向Ｚに積層された状態で、出入口２５から前側Ｙ１へはみ出しており、当該賞品Ｐの前端面が識別計数部３６側（厳密には斜め上側）を向いている。後収納本体部３１Ｂでは、後側下端にある収納部３５が横向き姿勢にあって、この収納部３５の出入口３５Ａが後側Ｙ２を向いている。また、この収納部３５に装填された通い箱４も、出入口２５が後側Ｙ２を向いた横向き姿勢にあって、通い箱４内の賞品Ｐは、上下方向Ｚに積層された状態で、出入口２５から後側Ｙ２へはみ出しており、当該賞品Ｐの後端面が識別計数部３６側（厳密には斜め上側）を向いている。
【００６１】
図４に示すように、収納部３５が上向き姿勢から横向き姿勢に変わって識別計数部３６に上側Ｚ１から接近すると、制御部５１は、搬送体３４の周回移動を停止する。このとき、各収納本体部３１では、識別計数部３６における識別部３８および計数部３９の組（図５参照）が、横向き姿勢の収納部３５に装填された通い箱４の各収容空間２４に対して１組ずつ左右方向Ｘにおいて同じ位置にある。この状態において、制御部５１は、識別計数部３６を、例えば下端の待機位置から上昇させる。その際、各組における識別部３８および計数部３９が、当該通い箱４において左右方向Ｘで同じ位置にある収容空間２４に前後方向Ｙから対向しながら上昇する。識別部３８は、左右方向Ｘで同じ位置にある収容空間２４に収容されて上下方向Ｚに積層された状態にある賞品Ｐの種類を下側Ｚ２から順に１つずつ非接触で識別し、計数部３９は、当該収容空間２４に収容されて上下方向Ｚに積層された状態にある賞品Ｐを下側Ｚ２から順に１つずつ非接触で計数する。横向き姿勢の収納部３５に装填された通い箱４の各収容空間２４における全ての賞品Ｐについての識別および計数が完了して識別計数部３６が待機位置まで下降すると、識別計数処理が終了する。
【００６２】
識別計数処理は、全ての収納ユニット１２において一度に実行されてもよいし、係員による表示部１８での操作によって選択された所定の収納ユニット１２において個別に実行されてもよい。また、識別計数処理は、各収納ユニット１２では、前後の両方の収納本体部３１において一度に実行されてもよいし、前後のどちらかの収納本体部３１において個別に実行されてもよい。また、識別計数処理は、各収納本体部３１において、全ての収納部３５に装填された通い箱４について実行されてもよいし、係員によって指定された収納部３５に装填された通い箱４のみについて実行されてもよい。いずれにせよ、制御部５１は、識別計数処理の度に、賞品払出装置３内の各収納部３５における賞品Ｐの在庫数を更新する。
【００６３】
各収納部３５における賞品Ｐの在庫データ（賞品Ｐの種類および在庫数）は、収納部３５毎に割り当てられた識別情報と関連付けてテーブル（図示せず）にまとめられ、記憶部５２に記憶されている。制御部５１は、このテーブルの内容を、図８に示す在庫画面５５として表示部１８に表示することができる。在庫画面５５は、表示部１８における待機画面であってもよい。図８では、説明の便宜上、黒く塗り潰された部分を、大賞品の種類を示す赤色の部分とし、右下へ延びる斜線のハッチングが施された部分を、中賞品の種類を示す青色の部分とし、右上へ延びる斜線のハッチングが施された部分を、小賞品の種類を示す黄色の部分としている。
【００６４】
一例として、表示部１８の上端部には、賞品払出装置３における様々な処理（メニュー）を選択等するためのタッチキーであるメニューキー５６が表示され、在庫画面５５は、表示部１８においてメニューキー５６よりも下側の領域に表示される。在庫画面５５には、タッチキーである見出しキー５７と、各収納部３５における賞品Ｐの種類および在庫数が示された個別表示部５８とが表示されている。見出しキー５７は、左右方向Ｘに並ぶ３つの収納ユニット１２と同数存在し、例えば在庫画面５５の下端部において左右に並んで表示されている。左端の見出しキー５７Ｌは、左端の収納ユニット１２Ｌ（図１参照）に対応しており、収納ユニット１２Ｌを指す＜レーン左＞という文字が見出しキー５７Ｌに表示されている。真ん中の見出しキー５７Ｃは、真ん中の収納ユニット１２Ｃ（図１参照）に対応しており、収納ユニット１２Ｃを指す＜レーン中＞という文字が見出しキー５７Ｃに表示されている。右端の見出しキー５７Ｒは、右端の収納ユニット１２Ｒ（図１参照）に対応しており、収納ユニット１２Ｒを指す＜レーン右＞という文字が見出しキー５７Ｒに表示されている。
【００６５】
個別表示部５８は、賞品払出装置３内における収納部３５と同数（１つの収納ユニット１２につき１２個）存在し、在庫画面５５において各見出しキー５７の真上の領域に１２個ずつ表示されている。各見出しキー５７の真上の１２個の個別表示部５８は、各収納ユニット１２における前収納本体部３１Ａおよび後収納本体部３１Ｂに応じて、６個ずつにまとまって表示されている。これら１２個の個別表示部５８において、在庫画面５５における下側の６個の個別表示部５８は、前収納本体部３１Ａにおける６個の収納部３５に１つずつ対応し、上側の６個の個別表示部５８は、後収納本体部３１Ｂにおける６個の収納部３５に１つずつ対応している。各個別表示部５８は、対応する１つの収納部３５に割り当てられた賞品Ｐの種類についての情報を示す種類表示部５８Ａと、この収納部３５における現在の在庫数を示す在庫数表示部５８Ｂとを含む。種類表示部５８Ａでは、対応する賞品Ｐの種類についての情報として、この賞品Ｐの色および種類名の少なくともいずれか（図８では両方）が表示されている。
【００６６】
図９を参照して、繰出払出処理について説明する。繰出払出処理は、通い箱４から賞品Ｐを１個ずつ繰り出す繰出処理と、繰出処理により繰り出された装置本体１１内の賞品Ｐを機外へ払い出す払出処理とを含む。賞品管理装置２等からの払出指示に基いて、制御部５１は、まず、繰出処理を行う。具体的に、制御部５１は、前収納本体部３１Ａでは搬送体３４を右側面視において時計回りに周回移動させ、後収納本体部３１Ｂでは搬送体３４を右側面視において反時計回りに周回移動させる。各収納本体部３１では、繰出処理の対象となる収納部３５が、払出機構４２の払出部４９に接近すると、第２の姿勢変更機構（図示せず）により、図９に示すように、出入口３５Ａが横（厳密には斜め上側）を向いた横向き姿勢に傾倒する。
【００６７】
このとき、前収納本体部３１Ａでは、後側上端にある収納部３５が横向き姿勢にあって、この収納部３５の出入口３５Ａが後側Ｙ２を向いている。また、この収納部３５に装填された通い箱４も、出入口２５が後側Ｙ２を向いた横向き姿勢にあって、通い箱４内の賞品Ｐは、上下方向Ｚに積層された状態で、出入口２５から後側Ｙ２へはみ出していて、当該賞品Ｐの後端面が繰出払出部３２側（厳密には斜め上側）を向いている。後収納本体部３１Ｂでは、前側上端にある収納部３５が横向き姿勢にあって、この収納部３５の出入口３５Ａが前側Ｙ１を向いている。また、この収納部３５に装填された通い箱４も、出入口２５が前側Ｙ１を向いた横向き姿勢にあって、通い箱４内の賞品Ｐは、上下方向Ｚに積層された状態で、出入口２５から前側Ｙ１へはみ出していて、当該賞品Ｐの前端面が繰出払出部３２側（厳密には斜め上側）を向いている。
【００６８】
図９に示すように、横向き姿勢の収納部３５に装填された通い箱４内における最下位の賞品Ｐが、払出機構４２において待機位置にある払出部４９の上面と上下方向Ｚにおいてほぼ同じ位置になると、制御部５１は、搬送体３４の周回移動を停止する。搬送体３４の周回移動の停止に前後して、制御部５１は、繰出機構４１の姿勢を待機姿勢から繰出姿勢に切り換える。繰出姿勢の前繰出機構４１Ａでは、繰出部４３が、前収納本体部３１Ａの筐体３３の内部空間に後側Ｙ２から進入し、横向き姿勢の収納部３５に装填された通い箱４の真下に配置される。繰出姿勢の後繰出機構４１Ｂでは、繰出部４３が、後収納本体部３１Ｂの筐体３３の内部空間に前側Ｙ１から進入し、横向き姿勢の収納部３５に装填された通い箱４の真下に配置される。
【００６９】
次いで、制御部５１は、繰出部４３における繰出ベルト４４を周回移動させ、繰出ローラ４６を回転させる。このとき、前繰出機構４１Ａでは、右側面視において繰出ベルト４４が時計回りに周回移動して繰出ローラ４６が反時計回りに回転する。また、後繰出機構４１Ｂでは、右側面視において繰出ベルト４４が反時計回りに周回移動して繰出ローラ４６が時計回りに回転する。周回移動する繰出ベルト４４に設けられた繰出部材４７が、繰出ベルト４４の平坦部分４４Ａにおいて払出部４９側へ水平移動する。その際、繰出部材４７が、横向き姿勢の収納部３５に装填された通い箱４の開口部２６（図２参照）に進入して、当該通い箱４の収容空間２４内の最下位の賞品Ｐを引っ掛けて払出部４９側へ繰り出す。
【００７０】
払出部４９側へ繰り出された賞品Ｐは、駆動回転される繰出ローラ４６に接触することによって払出部４９側へ押し出され、左右方向Ｘにおいて同じ位置にある１つの払出部４９上に載る。そして、繰出ベルト４４の周回移動と繰出ローラ４６の回転が繰り返されることによって、横向き姿勢の収納部３５に装填された通い箱４において各繰出部４３の真上に位置する収容空間２４内の賞品Ｐが、下側Ｚ２の賞品Ｐから順に１つずつ繰り出されて、払出部４９上に集積される。
【００７１】
なお、繰り出された賞品Ｐが払出部４９において上側Ｚ１に集積されるように、賞品Ｐの繰り出しの度に、制御部５１は、払出部４９を待機位置から徐々に下降させる。また、制御部５１は、横向き姿勢の収納部３５を一時上昇させて浮かせている間に繰出部４３を左右方向に移動させてから収納部３５を元の位置まで下降させ、先ほど賞品Ｐを繰り出した元の収容空間２４とは別の収容空間２４の賞品Ｐを繰出部４３によって繰り出してもよい。この場合、当該別の収容空間２４から繰り出された賞品Ｐは、先ほどの払出部４９とは別の払出部４９に集積される。また、通い箱４における全ての収容空間２４が空になると、制御部５１は、繰出機構４１を一旦待機姿勢に戻した後に搬送体３４を周回移動させ、別の通い箱４が装填された収納部３５を横向き姿勢にする。その後、制御部５１は、繰出機構４１を繰出姿勢に姿勢変更して、当該別の通い箱４から賞品Ｐを繰り出す。
【００７２】
このようにして必要数の賞品Ｐが繰り出されると、繰出処理が完了する。すると、制御部５１は、払出処理を開始する。具体的には、制御部５１は、払出処理の対象となる収納ユニット１２の真上のシャッタ１７を、図９に示す開位置までスライドさせる。これにより、このシャッタ１７によって開閉される払出口１３Ｃと、この収納ユニット１２の出口４０Ｂとが上側Ｚ１へ開放される。そして、制御部５１は、この収納ユニット１２における５つ全ての払出部４９を、破線にて示す払出位置まで上昇させる。払出部４９が払出位置まで上昇することにより、各払出部４９上に繰り出された賞品Ｐが、出口４０Ｂおよび払出口１３Ｃから上側Ｚ１に露出されることによって機外へ払い出されるので、係員は、払出部４９上の賞品Ｐを受け取って遊技客に手渡しすることができる。なお、遊技客が、払出部４９上の賞品Ｐを直接受け取ってもよい。
【００７３】
払出部４９が払出位置まで上昇したとき、１つの払出口１３Ｃでは、５つの払出部４９が並んでおり、これにより、この払出口１３Ｃは、５つの個別払出口に区分けされている。前述したように各収納ユニット１２には複数種類の賞品Ｐがまとめて収納されているので、各個別払出口からは、決まった種類の賞品Ｐが払い出されるとは限らず、各収納ユニット１２内の複数種類の賞品Ｐが払い出される。各個別払出口における払出部４９上の賞品Ｐが係員によって取り出された後に、制御部５１は、払出部４９を待機位置まで下降させる。さらに、制御部５１は、今まで開位置にあったシャッタ１７を閉位置までスライドさせ、各繰出機構４１を繰出姿勢から待機姿勢（図４参照）まで戻す。これにより、払出処理が終了し、一連の繰出払出処理が完了する。
【００７４】
図１０は、表示部１８における表示内容の一例を示す模式図である。表示部１８に表示された在庫画面５５では、各収納部３５における賞品Ｐの種類および在庫数が、対応する個別表示部５８に表示される。各収納ユニット１２、つまりレーン左、レーン中およびレーン右の各レーンでは、複数（各レーンで１２個）の収納部３５のうち、これから払出口１３Ｃに賞品Ｐを払い出す対象となる払出対象収納部を指定できてもよい。そのための一例として、制御部５１は、各レーンの各収納本体部３１において、在庫数が所定数未満（例えば各収納部３５の最大収納数である１００個の半分未満）の端数になった収納部３５（以下「端数の収納部３５」という。）のうち、在庫数が特に少ない収納部３５（単数でも複数でもよい）を払出対象収納部に自動選択する。または、各個別表示部５８は、タッチキーになっていて、係員は、在庫数が少ない収納部３５に対応する個別表示部５８をタッチ操作することによって、この収納部３５を払出対象収納部に選択することができてもよい。これより、係員は、自分が所望する収納部３５内の賞品Ｐが早く払い出されるように設定することができる。なお、係員は、賞品管理装置２の操作部５を操作することによって払出対象収納部を選択できてもよい。
【００７５】
制御部５１は、払出対象収納部である収納部３５に対応する個別表示部５８に、この収納部３５が払出対象収納部であることを表わす次払出表示マークＭを表示する。次払出表示マークＭは、図１０に示すように在庫数表示部５８Ｂのコーナーに表示される三角形のマークであってもよいし、図１１に示すように個別表示部５８を縁取る太枠であってもよい。制御部５１は、このように次払出表示マークＭを表示することによって、払出対象収納部についての情報を強調表示し、次の繰出払出処理では、払出対象収納部内の賞品Ｐから払出部４９によって払出口１３Ｃに払い出す。最新の次払出表示マークＭは、少なくとも次の繰出払出処理が開始されるまでに表示される。この次払出表示マークＭを見た係員は、次の繰出払出処理において、複数の収納部３５のうち、払出対象収納部に該当する収納部３５内の賞品Ｐがこれから払出部４９に載って払出口１３Ｃに払い出されることを把握できる。そのため、表示部１８の表示に関して使い勝手の向上を図れる。
【００７６】
端数の収納部３５が払出対象収納部である場合には、表示部１８に強調表示された当該払出対象収納部についての情報（つまり、次払出表示マークＭ）を見た係員は、この収納部３５内の賞品Ｐがこれから払出口１３Ｃに払い出されることにより、この収納部３５が早く空になることを把握できる。この場合には、端数の収納部３５から順に空になるので、その後の補充処理において賞品Ｐの補充が容易になる。また、端数の収納部３５を少なくすることができるので、係員は、閉店間際等において、補充処理を頻繁に繰り返して端数の収納部３５間で賞品Ｐを抜き差ししていずれかの収納部３５にまとめる手間を省くことができる。なお、収納部３５に賞品Ｐが補充されると、この収納部３５以外で賞品Ｐの収納数が端数になった収納部３５からの賞品Ｐの払い出しが優先される。
【００７７】
各レーンにおける複数の収納部３５において、賞品Ｐを払い出す優先順位を指定できてもよい。優先順位は、各収納部３５の在庫数に基いて制御部５１によって指定されてもよいし、係員による表示部１８の操作によって指定されてもよい。また、係員が、最上位から所定順位までの優先順位を決定して、制御部５１が、当該所定順位より下の残りの優先順位を決定してもよい。優先順位の決定の仕方として、端数の収納部３５を上位にするパターンと、次の繰出払出処理で要求される賞品Ｐを最速で払い出せるように必要数以上の賞品Ｐを収容した収納部３５を上位にするパターンとが挙げられる。制御部５１は、優先順位を表わす優先順位表示マークＮを、該当する個別表示部５８に表示する。なお、各レーンにおける１２個の収納部３５に１位から１２位までの優先順位が設定されてもよい。または、全てのレーンにおける３６個の収納部３５に１位から３６位までの優先順位が設定されてもよい。もちろん、全ての収納部３５に優先順位を設定する必要はない。図１１では、一例として、レーン左には１位から４位までの優先順位が設定され、該当する４つの収納部３５に対応する個別表示部５８には、１位から４位までのいずれかの優先順位を表わす優先順位表示マークＮが表示されている。最新の優先順位表示マークＮは、少なくとも次の繰出払出処理が開始されるまでに表示される。
【００７８】
このように複数の収納部３５において賞品Ｐの払い出す優先順位を指定できるので、指定された優先順位が最上位である収納部３５から順に賞品Ｐの払い出されるように設定することができる。前述した払出対象収納部は、係員による表示部１８の操作または制御部５１によって、優先順位の最上位に設定される。そのため、優先順位が最上位である収納部３５内の賞品Ｐが最先で払い出されるように設定することができる。また、係員は、優先順位が最上位である賞品Ｐがこれから払出口１３Ｃに払い出されることを、表示部１８における払出対象収納部についての情報（つまり、次払出表示マークＭおよび優先順位表示マークＮ）によって把握できる。
【００７９】
係員が収納部３５の払出対象収納部や優先順位を決定した場合、これらの設定情報は、決定した係員を特定するための識別情報と関連付けて記憶部５２に記憶されてもよい。この場合、例えば、係員が、表示部１８の操作によって自分の識別情報を入力してログインすると、制御部５１は、この識別情報に対応する設定情報を記憶部５２から取得する。そして、制御部５１は、この設定情報に基く次払出表示マークＭおよび優先順位表示マークＮを、表示部１８の在庫画面５５において対応する個別表示部５８に表示する。
【００８０】
前述した実施形態では、収納部３５について払出対象収納部や優先順位が設定されるが、各収納ユニット１２を１つの収納部とみなして、収納ユニット１２について払出対象収納部や優先順位が設定されてもよい。その場合、払出対象収納部である収納ユニット１２を指す次払出表示マークＭは、例えば、対応する見出しキー５７に表示される（図１１において破線で示した次払出表示マークＭを参照）。見出しキー５７Ｌ、見出しキー５７Ｃおよび見出しキー５７Ｒは、装置本体１１における収納ユニット１２Ｌ、収納ユニット１２Ｃおよび収納ユニット１２Ｒの配置と同様に左右に並んで表示される。そのため、表示部１８には、払出対象収納部についての情報である次払出表示マークＭが、装置本体１１における収納ユニット１２の配置に合わせて表示される。
【００８１】
そのため、表示部１８を見た係員は、装置本体１１においてどの配置にある収納ユニット１２内の賞品Ｐがこれから払出口１３Ｃに払い出されるかを把握できる。さらに、係員は、これから賞品Ｐがどの払出口１３Ｃから払い出されるかも把握できる。この場合、例えばレーン左から大賞品が払い出されてレーン中から中賞品が払い出されてレーン右から小賞品が払い出されるように表示部１８において次払出表示マークＭを表示させておけば、係員が意図する種類の賞品Ｐが、係員が意図する払出口１３Ｃから払い出されるようにすることができる。そのため、係員は、払い出された賞品Ｐを、間違えなく遊技客に受け渡すことができるので、係員の精神的負担を低減できる。以上により、表示部１８の表示に関して使い勝手の向上を図れる。また、収納ユニット１２における各収納本体部３１を１つの収納部とみなして、収納本体部３１について払出対象収納部や優先順位が設定されてもよい。
【００８２】
また、在庫画面５５において各収納本体部３１に対応する６つの個別表示部５８のそれぞれの表示位置は、収納部３５の周回移動に応じてずれるように変化してもよい。この場合、各個別表示部５８の表示位置と、収納ユニット１２内で対応する収納部３５の実際の位置（周回方向Ｒの位置）とが対応している。このような表示方法において、例えば上方の所定位置（当該６つのうち上端左寄りの個別表示部５８と同じ位置）に表示される個別表示部５８に対応する収納部３５を払出対象収納部に設定してもよい。この場合、払出対象収納部の表示位置に、次払出表示マークＭが表示される。次払出表示マークＭの別の例として、払出対象収納部に対応する個別表示部５８の表示色を、他の個別表示部５８の表示色と異ならせてもよい。
【００８３】
図１２は、本発明の変形例に係る賞品払出システム１の概念図である。変形例に係る賞品払出システム１は、複数（例えば３台）の賞品管理装置２と、各賞品管理装置２に１対１で対応する複数（ここでは３台）の賞品払出装置３とを含む。３台の賞品管理装置２のそれぞれは、第１ＰＯＳ２Ａと、第２ＰＯＳ２Ｂと、第３ＰＯＳ２Ｃとに区別される。これらの賞品管理装置２は、ＬＡＮ等を介して通信可能に接続されていて、どれかを親機として残りを子機とすることによって親子関係を構成してもよい。３台の賞品払出装置３のそれぞれは、第１払出機３Ａと、第２払出機３Ｂと、第３払出機３Ｃとに区別される。これらの賞品払出装置３は、ＬＡＮ等を介して通信可能に接続されおり、賞品管理装置２と同様に親子関係を構成してもよい。第１ＰＯＳ２Ａと第１払出機３Ａとは、ＬＡＮ等を介して通信可能に接続されている。第２ＰＯＳ２Ｂと第２払出機３Ｂとは、ＬＡＮ等を介して通信可能に接続されている。第３ＰＯＳ２Ｃと第３払出機３Ｃとは、ＬＡＮ等を介して通信可能に接続されている。
【００８４】
賞品払出装置３は、賞品払出装置３内での処理に関する様々な異常（エラー）を検出する異常検出部６０を含む。異常検出部６０は、賞品払出装置３内における賞品Ｐの移動経路の近傍等に配置される公知のセンサであって、単数または複数存在して、制御部５１に対して電気的に接続されている（図６参照）。例えば、第１ＰＯＳ２Ａから払出指示を受け付けた第１払出機３Ａにおいて、払出処理中に異常が発生したとする。この異常の発生時において、第１払出機３Ａの制御部５１は、以下の条件１〜３が満たされるか否かを確認する。
【００８５】
・条件１：現在の払出処理において取引不成立のレーン、つまり未払いの賞品Ｐが存在しないこと。
・条件２：発生した異常が個々の収納ユニット１２（レーン）についての異常であり、正常な収納ユニット１２が他に存在すること。つまり、この異常によって、正常な収納ユニット１２による払出処理に影響が与えられないこと。
・条件３：正常な収納ユニット１２に賞品Ｐの在庫が存在すること。
【００８６】
異常の発生時にこれらの条件１〜３が全て満たされる場合には、第１払出機３Ａでは、正常な収納ユニット１２による縮退運転によって次の払出処理が可能である。また、取引中にいずれかのレーンにて異常が発生しても、賞品Ｐの払い出しが可能な別のレーンつまり正常な収納ユニット１２が代わりに賞品Ｐを払い出すことによって取引が成立すれば、条件１は満たされる。また、複数のレーンにおいて異常が発生していても、正常な収納ユニット１２が１つでも存在すれば、条件２は満たされる。
【００８７】
現在の払出処理中での異常の発生時に条件１〜３の少なくともいずれかが満たされない場合、つまり、縮退運転ができない場合には、第１払出機３Ａでは、取引不成立の状態にあって、未払いの賞品Ｐが存在する。そこで、異常の発生直後または当該払出処理後に、第１払出機３Ａの制御部５１が、図１３に示す通知画面６１を、表示部１８において、例えば在庫画面５５上にポップアップ表示する。通知画面６１には、異常の種類を示すエラーコード６２（図１３では「Ｅ−０００１」）と、係員向けの案内文６３と、エラー解除キー６４およびどこでも払出キー６５という２つのタッチキーとが表示されている。
【００８８】
エラーを直ちに解除したい場合、係員は、エラー解除キー６４にタッチする。すると、制御部５１は、解除画面（図示せず）を表示部１８に切替表示する。係員は、この解除画面に沿ってエラーを解除する。エラーの解除を後回しにして、未払いの賞品Ｐを他の賞品払出装置３（つまり第２払出機３Ｂや第３払出機３Ｃ）での振替払出によって払い出したい場合、係員は、どこでも払出キー６５にタッチする。すると、制御部５１は、図１４に示す振替先選択画面６６を表示部１８に切替表示する。
【００８９】
振替先選択画面６６には、係員向けの案内文６７と、振替先として選択できる他の賞品払出装置３に１つずつ対応するタッチキーである選択キー６８とが表示されている。係員は、第２払出機３Ｂでの振替払出を所望する場合には、第２払出機３Ｂに対応する選択キー６８にタッチする。すると、第１払出機３Ａの制御部５１は、未払いの賞品Ｐの種類および個数についての情報を、振替払出要求として第２払出機３Ｂに通知する。振替払出要求を受けた第２払出機３Ｂが待機中であれば、第２払出機３Ｂでは、振替払出として、未払いの賞品Ｐの種類および個数について繰出払出処理が実行される。
【００９０】
未払いの賞品Ｐのうち、第１払出機３Ａの払出部４９上に既にあって払出処理まで実行できる状態にある賞品Ｐ（複数のレーンから一度に払い出される場合において正常なレーンにある賞品Ｐ）については、第１払出機３Ａから払い出されて、残りの賞品Ｐが第２払出機３Ｂから振替払出されてもよい。または、第１払出機３Ａの制御部５１は、当該残りの賞品Ｐについての情報を第１ＰＯＳ２Ａに通知してもよい。第１ＰＯＳ２Ａは、当該残りの賞品Ｐをあらためて払い出すためのレシートである保留券を発行する。保留券を受け取った係員または遊技客は、保留券を他の賞品管理装置２で処理してもらうことによって、当該残りの賞品Ｐを第１払出機３Ａ以外の賞品払出装置３から払い出してもらうことができる。
【００９１】
第２払出機３Ｂにおいて振替払出を正常に完了すると、第２払出機３Ｂの制御部５１は、その旨を第１払出機３Ａに通知する。通知を受けた第１払出機３Ａの制御部５１は、前述した解除画面（図示せず）を表示部１８に切替表示する。そのため、係員は、第１払出機３Ａでのエラーの解除に専念できる。
【００９２】
一方、振替払出要求を受けた第２払出機３Ｂが待機中でなければ（つまり取引中であれば）、第２払出機３Ｂの制御部５１は、振替払出ができない旨を第１払出機３Ａに通知する。この場合、通知を受けた第１払出機３Ａの制御部５１は、通知画面６１を表示部１８に切替表示する。または、振替払出要求を受けた第２払出機３Ｂの制御部５１は、振替払出ができない旨を第１払出機３Ａに通知せずに保留して、第２払出機３Ｂにおける現在の取引の終了後に、係員による指示に応じて、振替払出を実行してもよいし、振替払出ができない旨を第１払出機３Ａに通知してもよい。振替払出ができない旨が通知された第１払出機３Ａでは、振替先選択画面６６が表示部１８に引き続き表示されてもよく、その場合、係員は、第２払出機３Ｂでなく、第３払出機３Ｃにおいて振替払出が実行されるように、第３払出機３Ｃに対応する選択キー６８にタッチする。
【００９３】
このように振替払出が実行できる場合には、各賞品管理装置２で管理される賞品Ｐの在庫データと、各賞品払出装置３で管理される賞品Ｐの在庫データとに食い違いがないようにする必要がある。以下では、そのための方法について、図１５の表を見ながら説明する。
【００９４】
図１５の「取引前」の欄を参照して、例えば、特定の種類の賞品Ｐについて、第１払出機３Ａでは、在庫数が１００個であることが記憶され、その日において今まで払い出した賞品Ｐの個数（以下「払出日計」という）が２０個であることが記憶されているとする。これに応じて、第１払出機３Ａに対応する第１ＰＯＳ２Ａでは、第１払出機３Ａについて在庫数が１００個であって払出日計が２０個であることが記憶されている。そして、第２払出機３Ｂでは、在庫数が１００個であることが記憶され、払出日計が２０個であることが記憶されているとする。これに応じて、第２払出機３Ｂに対応する第２ＰＯＳ２Ｂでは、第２払出機３Ｂについて在庫数が１００個であって払出日計が２０個であることが記憶されている。この場合、第１払出機３Ａおよび第２払出機３Ｂが管理する在庫データの合計である払出機合算値について、在庫数は２００個（＝１００＋１００）であって払出日計は４０個（＝２０＋２０）である。同様に、第１ＰＯＳ２Ａおよび第２ＰＯＳ２Ｂが管理する在庫データの合計であるＰＯＳ合算値について、在庫数は２００個（＝１００＋１００）であって払出日計は４０個（＝２０＋２０）である。
【００９５】
例えば、第１ＰＯＳ２Ａが、新たな取引のために１０個の賞品Ｐを払い出すよう第１払出機３Ａに払出指示を送ったものの、第１払出機３Ａでエラーが発生したことにより、この１０個の賞品Ｐが第２払出機２Ｂにて振替払出されたとする。すると、図１５の「取引後」の欄を参照して、第１ＰＯＳ２Ａでは、第１払出機３Ａに払出指示を送ったことに応じて、在庫数が９０個（＝１００−１０）に更新されて、払出日計が３０個（＝２０＋１０）に更新される。払出指示を受け取ったものの賞品Ｐを払い出せなかった第１払出機３Ａでは、在庫数および払出日計は取引前と変わらない。この取引のために第２払出機３Ｂに払出指示を送っていない第２ＰＯＳ２Ｂでも、在庫数および払出日計は取引前と変わらない。振替払出を実行した第２払出機２Ｂでは、在庫数が９０個（＝１００−１０）に更新されて、払出日計が３０個（＝２０＋１０）に更新される。取引後のＰＯＳ合算値および払出合算値は、在庫数（１９０個）および払出日計（５０個）のそれぞれについて一致する。そのため、賞品管理装置２および賞品払出装置３のそれぞれについて親子で合算した場合には、在庫データである在庫数および払出日計のそれぞれに食い違いは生じない。しかし、在庫数および払出日計のそれぞれは、第１ＰＯＳ２Ａと第１払出機３Ａとの間では一致せず、第２ＰＯＳ２Ｂと第２払出機３Ｂとの間でも一致しない。
【００９６】
そこで、振替払出を依頼した第１払出機３Ａと、振替払出を実行した第２払出機３Ｂとでは、振替払出に係る賞品Ｐの個数が、振替個数（今回の説明では１０個）として管理され、在庫ＰＯＳというデータと、払出日計ＰＯＳというデータとが管理される。在庫ＰＯＳは、振替払出がなかった場合に第１ＰＯＳ２Ａおよび第２ＰＯＳ２Ｂのそれぞれで管理されているはずの在庫数である。払出日計ＰＯＳは、振替払出がなかった場合に第１ＰＯＳ２Ａおよび第２ＰＯＳ２Ｂのそれぞれで管理されているはずの払出日計である。
【００９７】
第１払出機３Ａの制御部５１は、第１払出機３Ａの在庫数から振替個数を差し引くことによって、在庫ＰＯＳ（９０＝１００−１０）を算出し、第１払出機３Ａの払出日計に振替個数を加算することによって、払出日計ＰＯＳ（３０＝２０＋１０）を算出する。逆に、第２払出機３Ｂの制御部５１は、第２払出機３Ｂの在庫数に振替個数を加算することによって、在庫ＰＯＳ（１００＝９０＋１０）を算出し、第２払出機３Ｂの払出日計から振替個数を差し引くことによって、払出日計ＰＯＳ（２０＝３０−１０）を算出する。振替払出が完了したタイミング等において、第１払出機３Ａおよび第２払出機３Ｂでは、振替個数、在庫ＰＯＳおよび払出日計ＰＯＳが記載されたレシートが係員に発行されたり、表示部１８に表示されたりしてもよい。係員は、閉店後等の集計作業の際、このレシートを参照できる。
【００９８】
このように、第１ＰＯＳ２Ａと第１払出機３Ａとの間では、振替払出によって在庫数および払出日計のそれぞれが一致しなくても、第１ＰＯＳ２Ａの在庫数と第１払出機３Ａの在庫ＰＯＳとが一致し、かつ、第１ＰＯＳ２Ａの払出日計と第１払出機３Ａの払出日計ＰＯＳとが一致すれば、在庫データの辻褄を合わせることができる。第２ＰＯＳ２Ｂと第２払出機３Ｂとの間でも同様である。
【００９９】
振替払出は、第１払出機３Ａと第２払出機３Ｂとの間で成立する処理なので、第１ＰＯＳ２Ａおよび第２ＰＯＳ２Ｂは、振替払出について関知しない。そのため、原則として、第１払出機３Ａにおける実際の在庫数および払出日計は、第１ＰＯＳ２Ａには通知されないし、第２払出機３Ｂにおける実際の在庫数および払出日計は、第２ＰＯＳ２Ｂには通知されない。しかし、前述した振替払出要求が賞品管理装置２間でやりとりされて、振替払出要求を受けた賞品管理装置２が、対応する配下の賞品払出装置３に振替払出の実行を指示してもよい。この場合には、振替個数、在庫ＰＯＳおよび払出日計ＰＯＳといったデータを用いなくても、賞品管理装置２と、対応する賞品払出装置３との間では、在庫数および払出日計のそれぞれが振替払出の前後で一致する。
【０１００】
賞品払出装置３から払い出された賞品Ｐを受け取った遊技客が、タバコ等の一般賞品に心変わりして、交換済の賞品Ｐを返品することがある。すると、受付カウンターＣの係員は、賞品Ｐの返品処理を行う。具体的には、係員は、まず、賞品管理装置２の操作部５を操作して、賞品Ｐの返品があった旨を入力する。この入力内容には、返品された賞品Ｐの種類および個数に関する情報が含まれる。賞品管理装置２は、入力内容を記したレシートを発行してもよい。係員は、集計作業の際に、このレシートを参照できる。
【０１０１】
次に、係員は、返品先の賞品払出装置３の表示部１８のメニューキー５６（図８参照）にタッチする。すると、制御部５１は、図１６に示すメニュー選択画面７０を表示部１８に表示する。メニュー選択画面７０には、選択できる処理に対応する複数のタッチキー７１と、ひとつ前の画面に戻るためにタッチされる戻るキー７２が表示されている。これらのタッチキー７１のうち、仕入れ確定キー７１Ａは、問屋から仕入れて賞品払出装置３に入庫する際に仕入れ分の賞品Ｐを確認するためにタッチされ、集計キー７１Ｂは、集計作業を開始するためにタッチされ、履歴キー７１Ｃは、賞品払出装置３における様々な履歴を閲覧するためにタッチされる。また、設定キー７１Ｄは、賞品払出装置３において様々な設定を行うためにタッチされる。
【０１０２】
係員は、賞品Ｐを賞品払出装置３に返品するために、返品補充キー７１Ｅにタッチする。すると、制御部５１は、図１７に示す返品先選択画面７４を表示部１８に表示する。この実施形態における返品先選択画面７４の内容は、前述した在庫画面５５（図８参照）の内容とほぼ同じである。係員は、返品先のレーンを選択して、そのレーンに対応する見出しキー５７にタッチする。すると、制御部５１は、補充処理の一環としてロック機構２０を作動させて、このレーンの収納ユニット１２のロックを解除するので、係員は、この収納ユニット１２を引き出して、収納ユニット１２内のいずれかの収納部３５に賞品Ｐを返品し、収納ユニット１２を収容位置まで戻す。これに応じて、制御部５１は、識別計数処理を実行する。
【０１０３】
識別計数処理により、返品後の賞品払出装置３における賞品Ｐの在庫データが更新される。制御部５１は、識別計数処理の前後における在庫データの違いから、返品された賞品Ｐの種類および個数を特定し、記憶部５２に記憶する。返品された賞品Ｐの個数（以下「返品補充数」という）は、補充数として扱われるが、仕入れ数として扱われない。補充数は、最新の在庫数と一致する。補充数から返品補充数を差し引いた値が仕入れ数である。そのため、返品後に係員が仕入れ確定キー７１Ａ（図１６参照）にタッチすると、制御部５１は、識別計数処理を実行し、その結果を、図１８に示すように表示部１８に表示する。表示部１８では、識別計数処理の結果が、仕入れ数と補充数と返品補充数（図１８では大賞品１個）とに分けて表示される。係員は、識別計数処理の結果とともに表示されたタッチキーである印字キー７３にタッチすると、この結果が記載されたレシートが賞品払出装置３から発行される。
【０１０４】
識別計数処理の結果のうち、少なくとも仕入れ数は、賞品払出装置３から賞品管理装置２に通知される。返品補充数は、仕入れ数に含まれないので、賞品管理装置２で管理される仕入れ数に誤差が生じることを防止できる。識別計数処理の結果は、賞品管理装置２から、さらに上位の装置に通知されてもよい。前述したように複数の賞品管理装置２と、各賞品管理装置２に１対１で対応する複数の賞品払出装置３とを含む賞品払出システム１（図１２参照）において、第１ＰＯＳ２Ａが親機として機能して残りの賞品管理装置２が子機として機能し、第２払出機３Ｂおよび第３払出機３Ｃのそれぞれから子機経由で親機に仕入れ数が通知される場合を想定する。この場合において、所定期間内に複数の賞品払出装置３から親機に仕入れ数が通知された場合には、親機の制御部は、これらの仕入れ数を同一の入庫処理によるものとしてまとめて管理してもよい。この場合、これらの仕入れ数をまとめたリストが親機から出力されてもよい。
【０１０５】
返品補充キー７１Ｅは、メニュー選択画面７０（図１６参照）に常に表示されなくてもよい。その場合、係員による賞品管理装置２の操作部５の操作によって、返品される賞品Ｐの情報が返品先の賞品払出装置３に通知された場合にのみ、返品補充キー７１Ｅがメニュー選択画面７０に表示される。そして、賞品払出装置３内への賞品Ｐの返品に伴う識別計数処理の終了後に、前述した返品補充数が賞品払出装置３から賞品管理装置２に通知される。そのため、賞品管理装置２では、賞品払出装置３に通知した情報（返品すべき賞品Ｐの情報）と、賞品払出装置３から通知された返品補充数（返品された賞品Ｐの情報）とを照合することによって、賞品Ｐが正しく賞品払出装置３に戻されたか否かをチェックできる。
【０１０６】
例えば、前述した在庫画面５５（図８参照）が表示部１８に表示された状態において、係員が、これから引き出したい収納ユニット１２に対応する見出しキー５７にタッチすると、制御部５１は、選択された収納ユニット１２についてのロック機構２０によるロックを解除する。このとき、制御部５１は、図１９に示す補充画面７５を、表示部１８においてメニューキー５６よりも下側の領域に表示する。補充画面７５が表示された表示部１８には、ロックが解除された収納ユニット１２がどれであるかを示すメッセージ７６が表示される。
【０１０７】
補充画面７５における例えば略左半分の領域には、ロックが解除された収納ユニット１２内の各収納部３５における賞品Ｐの種類および在庫数が示された個別表示部７７が表示されている。個別表示部７７は、前述した個別表示部５８と同様であり、収納ユニット１２内の収納部３５と同数（つまり１２個）存在し、補充画面７５において、前収納本体部３１Ａおよび後収納本体部３１Ｂに応じて、６個ずつにまとまって表示されている。前述した補充口（１）〜（４）に現在位置している収納部３５がどれであるかを示す位置表示部７８が、該当する個別表示部７７に隣接して表示されている。
【０１０８】
補充画面７５における例えば略右半分の領域には、補充口（１）〜（４）に応じた４つの補充情報表示部７９が表示されている。各補充情報表示部７９には、補充口（１）〜（４）において対応する１つの補充口を示す位置情報７９Ａと、対応する補充口に現在位置している収納部３５に補充すべき賞品Ｐの種類についての種類情報７９Ｂとが表示されている。返品補充キー７１Ｅは、メニュー選択画面７０（図１６参照）でなく、補充画面７５に表示されてもよい。
【０１０９】
賞品Ｐの返品履歴を確認したい場合、係員は、メニュー選択画面７０の履歴キー７１Ｃ（図１６参照）にタッチする。すると、制御部５１は、図２０に示す履歴選択画面８０を表示部１８に表示する。履歴選択画面８０には、選択できる履歴の種類を示す複数のタッチキー８１と、前述した戻るキー７２とが表示されている。これらのタッチキー８１のうち、取引履歴キー８１Ａは、取引つまり操出払出処理の履歴を確認するためにタッチされ、仕入れ履歴キー８１Ｂは、賞品Ｐの仕入れの履歴を確認するためにタッチされる。また、操作履歴キー８１Ｃは、賞品払出装置３の操作履歴を確認するためにタッチされ、エラー履歴キー８１Ｄは、賞品払出装置３で発生したエラーの履歴を確認するためにタッチされる。
【０１１０】
賞品Ｐの返品履歴を確認したい係員は、補充履歴キー８１Ｅにタッチする。すると、制御部５１は、図２１に示す補充履歴一覧画面８２を表示部１８に切替表示する。補充履歴一覧画面８２には、補充処理が実行されたときの日付および時刻と、担当した係員の名前等が補充処理毎に時系列で羅列されている。補充履歴一覧画面８２において、賞品Ｐの返品に関連する補充処理の履歴には、賞品Ｐの返品が行われたことを示すタッチキーである返品内容確認キー８３が表示される。
【０１１１】
係員が返品内容確認キー８３にタッチすると、制御部５１は、図２２に示す賞品別詳細画面８４、または、図２３に示すケース別詳細画面８５を表示部１８に切替表示する。賞品別詳細画面８４には、返品された賞品Ｐの種類および個数を示す情報（図２２では大賞品１個）と、この返品が行われた日時および担当者名と、前述した戻るキー７２および印字キー７３とが表示されている。ケース別詳細画面８５には、在庫画面５５（図８参照）の個別表示部５８と同様の個別表示部８６と、返品が行われた日時および担当者名と、戻るキー７２および印字キー７３とが表示されている。ケース別詳細画面８５を見ると、どのケース（つまり収納部３５）にどの種類および個数の賞品Ｐが返却されたかを把握できる。図２３では、レーン中の後収納本体部３１Ｂにおける１つの収納部３５に大賞品１個が返品されたことが表示されている。
【０１１２】
賞品別詳細画面８４およびケース別詳細画面８５のそれぞれには、賞品別詳細画面８４を表示させるためにタッチされるタブ８７Ａと、ケース別詳細画面８５を表示させるためにタッチされるタブ８７Ｂとが表示されている。係員が賞品別詳細画面８４およびケース別詳細画面８５のそれぞれの印字キー７３にタッチすると、賞品別詳細画面８４およびケース別詳細画面８５において対応する方の表示内容（特に返品内容の詳細）を記載したレシートが賞品払出装置３から発行される。
【０１１３】
前述したように、賞品払出装置３における３つの収納ユニット１２において、一度に引き出させる収納ユニット１２は、１つだけである。１つの収納ユニット１２が引き出されている間は、残り２つの収納ユニット１２は、ロック機構２０によって収容位置でロックされている。そのため、２つ以上の収納ユニット１２が一度に引き出されることは原則としてあり得ない。しかし、ロック機構２０の故障等が想定される。そこで、ロック機構２０が故障しても一度に収納ユニット１２が１つしか引き出せないようにマニュアルロックするための引出防止機構９０が賞品払出装置３に備えられている。以下では、引出防止機構９０の第１例および第２例について説明する。なお、この実施形態では、収納ユニット１２が３つ設けられているが、収納ユニット１２が２つである場合や、収納ユニット１２が４つ以上設けられた場合にも、引出防止機構９０を適用できる。
【０１１４】
図２４は、第１例に係る引出防止機構９０およびその周辺の模式的な斜視図である。収納ユニット１２を載せて前後にスライドする３つのスライド部１９のうち、左端のスライド部１９をスライド部１９Ｌといい、真ん中のスライド部１９をスライド部１９Ｃといい、右端のスライド部１９をスライド部１９Ｒという。スライド部１９Ｌに収納ユニット１２Ｌが載せられ、スライド部１９Ｃに収納ユニット１２Ｃが載せられ、スライド部１９Ｒに収納ユニット１２Ｒが載せられている。前後方向Ｙに細長く延びるガイド板９１が、スライド部１９Ｌにおける右の脚部１９Ｂの上端部、スライド部１９Ｃにおける左右の脚部１９Ｂの上端部、スライド部１９Ｒにおける左の脚部１９Ｂの上端部にそれぞれ設けられている（後述する図２５も参照）。各ガイド板９１は、対応するスライド部１９から左右方向Ｘの外側へ張り出していて、各ガイド板９１の前端は、脚部１９Ｂの前端よりも後側Ｙ２にずれて配置されている。また、少なくともスライド部１９Ｃでは、左右の脚部１９Ｂのそれぞれにおいて、脚部１９Ｂの前端部と後端部との間を切り欠いた開口１９Ｄが形成されている。
【０１１５】
第１例に係る引出防止機構９０は、左右一対の回動部材９２と、これらの回動部材９２を連結する連結部材９３とを含み、装置本体１１の底壁１１Ｃの前端部上に設けられている。スライド部１９のガイド板９１を引出防止機構９０の一部とみなしてもよい。図２４に示すように全ての収納ユニット１２が収容位置にある状態を基準として、左の回動部材９２Ｌは、スライド部１９Ｌの前端部とスライド部１９Ｃの前端部との間に配置され、右の回動部材９２Ｒは、スライド部１９Ｒの前端部とスライド部１９Ｃの前端部との間に配置されている。回動部材９２Ｌを参照して、各回動部材９２は、図２４では前後方向Ｙに延びるベース部９２Ａと、ベース部９２Ａの前端から立ち上がった縦板部９２Ｂと、縦板部９２Ｂの上端から左側Ｘ１へ延びる左アーム部９２Ｃと、縦板部９２Ｂの上端から右側Ｘ２へ延びる右アーム部９２Ｄとを含む。
【０１１６】
ベース部９２Ａの前端と後端の間の途中部には、装置本体１１の底壁１１Ｃから上側Ｚ１へ延びた回動軸９４の上端がつながっている。回動部材９２の全体は、回動軸９４まわりに左右に回動可能である。ベース部９２Ａの後端部には、上側Ｚ１へ突出した連結軸９５が設けられている。図２４の状態を基準として、左アーム部９２Ｃは、左前側へ斜めに延びてから屈曲して左側Ｘ１へ延びていて、右アーム部９２Ｄは、右前側へ斜めに延びてから屈曲して右側Ｘ２へ延びている。左アーム部９２Ｃと右アーム部９２Ｄとは左右対称に構成されている。左アーム部９２Ｃの左端部および右アーム部９２Ｄの右端部のそれぞれには、ベアリング等によって構成されて縦軸まわりに回転可能なローラ９６が取り付けられている。左アーム部９２Ｃに設けられたローラ９６の外周部の少なくとも一部は、左アーム部９２Ｃの左端よりも左側Ｘ１にはみ出している。右アーム部９２Ｄに設けられたローラ９６の外周部の少なくとも一部は、右アーム部９２Ｄの右端よりも右側Ｘ２にはみ出している。
【０１１７】
連結部材９３は、左右の細長い板状であり、その左右の両端部には、左右に長い長穴９３Ａが連結部材９３を上下方向Ｚに貫通して設けられている。スライド部１９Ｌのベース部９２Ａの連結軸９５が、連結部材９３の左端部の長穴９３Ａに遊びを持って嵌め込まれていて、スライド部１９Ｒのベース部９２Ａの連結軸９５が、連結部材９３の右端部の長穴９３Ａに遊びを持って嵌め込まれている。連結部材９３において左右の長穴９３Ａの間の部分は、スライド部１９Ｃの左右の脚部１９Ｂの開口１９Ｄを通って、このスライド部１９Ｃの板部１９Ａの下側Ｚ２に配置されている。連結部材９３は、各回動部材９２の左アーム部９２Ｃおよび右アーム部９２Ｄとは同一平面上に存在せず、これらのアーム部よりも低い位置に配置されている。
【０１１８】
次に、第１例に係る引出防止機構９０の動きについて説明する。図２５に示すように３つ全ての収納ユニット１２が収容位置にある場合、回動部材９２Ｌでは、左アーム部９２Ｃが、スライド部１９Ｌのガイド板９１の前端に前側Ｙ１から接触しており、右アーム部９２Ｄが、スライド部１９Ｃにおける左のガイド板９１の前端に前側Ｙ１から接触している。また、回動部材９２Ｒでは、左アーム部９２Ｃが、スライド部１９Ｃにおける右のガイド板９１の前端に前側Ｙ１から接触しており、右アーム部９２Ｄが、スライド部１９Ｒのガイド板９１の前端に前側Ｙ１から接触している。これにより、全ての収納ユニット１２が収容位置においてロックされている。
【０１１９】
全ての収納ユニット１２が収容位置にある状態において、例えば収納ユニット１２Ｌを引き出そうとすると、回動部材９２Ｌの左アーム部９２Ｃがスライド部１９Ｌのガイド板９１の前端に押されることによって、図２６に示すように回動部材９２Ｌが平面視で反時計回りに収納ユニット１２Ｃ側へ回動する。このとき、回動部材９２Ｌの回動が連結部材９３を介して回動部材９２Ｒに伝わるので、回動部材９２Ｒが平面視で反時計回りに収納ユニット１２Ｒ側へ回動する。なお、回動部材９２Ｌおよび回動部材９２Ｒの円滑な連動を邪魔しないように、連結部材９３は、ばね等の弾性部材を含んで左右に伸縮可能であってもよい。このように回動部材９２Ｌが回動すると、回動部材９２Ｌの左アーム部９２Ｃがスライド部１９Ｌのガイド板９１の前端から右側Ｘ２へ外れるので、収納ユニット１２Ｌの引き出しが可能になる。収納ユニット１２Ｌのスライド中には、回動部材９２Ｌの左アーム部９２Ｃにおけるローラ９６がスライド部１９Ｌのガイド板９１の側面に沿って回転するので、収納ユニット１２Ｌのスライドが邪魔されない。
【０１２０】
一方、回動部材９２Ｒの左アーム部９２Ｃがスライド部１９Ｃにおける右のガイド板９１の前端から右側Ｘ２へ外れるものの、回動部材９２Ｌの右アーム部９２Ｄがスライド部１９Ｃにおける左のガイド板９１の前端に引き続き接触し、かつ、回動部材９２Ｒの右アーム部９２Ｄがスライド部１９Ｒのガイド板９１の前端に引き続き接触している。そのため、収納ユニット１２Ｌ以外の収納ユニット１２Ｃおよび１２Ｒは、引き続き収容位置においてロックされている。
【０１２１】
全ての収納ユニット１２が収容位置にある状態（図２５参照）において、例えば収納ユニット１２Ｃを引き出そうとすると、回動部材９２Ｌの右アーム部９２Ｄがスライド部１９Ｃにおける左のガイド板９１の前端に押されることによって、図２７に示すように回動部材９２Ｌが平面視で時計回りに収納ユニット１２Ｌ側へ回動する。このとき、回動部材９２Ｒの左アーム部９２Ｃがスライド部１９Ｃにおける右のガイド板９１の前端に押されることによって、回動部材９２Ｒが平面視で反時計回りに収納ユニット１２Ｒ側へ回動する。なお、各回動部材９２において連結部材９３の長穴９３Ａ内に遊びを持って嵌った連結軸９５は、連結部材９３に接触しないので、回動部材９２Ｌおよび回動部材９２Ｒの一方の回動が連結部材９３を介して他方に伝わらない（図２４参照）。
【０１２２】
このように回動部材９２Ｌおよび回動部材９２Ｒが逆向きに回動すると、回動部材９２Ｌの右アーム部９２Ｄがスライド部１９Ｃにおける左のガイド板９１の前端から左側Ｘ１へ外れ、回動部材９２Ｒの左アーム部９２Ｃがスライド部１９Ｃにおける右のガイド板９１の前端から右側Ｘ２へ外れるので、収納ユニット１２Ｃの引き出しが可能になる。収納ユニット１２Ｃのスライド中には、回動部材９２Ｌの右アーム部９２Ｄのローラ９６および回動部材９２Ｒの左アーム部９２Ｃのローラ９６が、スライド部１９Ｃにおいて対応するガイド板９１の側面に沿って回転するので、収納ユニット１２Ｃのスライドが邪魔されない。
【０１２３】
一方、回動部材９２Ｌの左アーム部９２Ｃがスライド部１９Ｌのガイド板９１の前端に引き続き接触し、かつ、回動部材９２Ｒの右アーム部９２Ｄがスライド部１９Ｒのガイド板９１の前端に引き続き接触している。そのため、収納ユニット１２Ｃ以外の収納ユニット１２Ｌおよび１２Ｒは、引き続き収容位置においてロックされている。
【０１２４】
全ての収納ユニット１２が収容位置にある状態（図２５参照）において、例えば収納ユニット１２Ｒを引き出そうとすると、回動部材９２Ｒの右アーム部９２Ｄがスライド部１９Ｒのガイド板９１の前端に押されることによって、図２８に示すように回動部材９２Ｒが平面視で時計回りに収納ユニット１２Ｃ側へ回動する。このとき、回動部材９２Ｒの回動が連結部材９３を介して回動部材９２Ｌに伝わるので、回動部材９２Ｌが平面視で時計回りに収納ユニット１２Ｌ側へ回動する。すると、回動部材９２Ｒの右アーム部９２Ｄがスライド部１９Ｒのガイド板９１の前端から左側Ｘ１へ外れるので、収納ユニット１２Ｒの引き出しが可能になる。収納ユニット１２Ｒのスライド中には、回動部材９２Ｒの右アーム部９２Ｄにおけるローラ９６がスライド部１９Ｒのガイド板９１の側面に沿って回転するので、収納ユニット１２Ｒのスライドが邪魔されない。
【０１２５】
一方、回動部材９２Ｌの右アーム部９２Ｄがスライド部１９Ｃにおける左のガイド板９１の前端から左側Ｘ１へ外れるものの、回動部材９２Ｒの左アーム部９２Ｃがスライド部１９Ｃにおける右のガイド板９１の前端に引き続き接触し、かつ、回動部材９２Ｌの左アーム部９２Ｃがスライド部１９Ｌのガイド板９１の前端に引き続き接触している。そのため、収納ユニット１２Ｒ以外の収納ユニット１２Ｌおよび１２Ｃは、引き続き収容位置においてロックされている。
【０１２６】
図２９は、第２例に係る引出防止機構９０およびその周辺の模式的な斜視図である。第２例の場合、各スライド部１９には、第１例におけるガイド板９１および開口１９Ｄは設けられておらず、代わりに、左右の脚部１９Ｂの下端部間に架設されて左右に細長く延びるブロック状のガイド部材１００が設けられている。
【０１２７】
ガイド部材１００には、その前面１００Ａの左端から左の脚部１９Ｂの左端まで左後側へ傾斜して延びる左ガイド面１００Ｂと、前面１００Ａの右端から右の脚部１９Ｂの右端まで右後側へ傾斜して延びる右ガイド面１００Ｃとが設けられている。前面１００Ａは、上下が逆になった凸形状である。前面１００Ａの下端部は、凸形状の先端部として左右に延びるロック面１００Ｄを構成している。ガイド部材１００の下端部における左右の両端部には、ガイド部材１００を前後方向Ｙに貫通した切欠き１００Ｅが１つずつ形成されている。左右の切欠き１００Ｅの間にロック面１００Ｄが配置されている。各スライド部１９の左右の脚部１９Ｂのそれぞれの下面には、対応する切欠き１００Ｅから連続して後側Ｙ２へ延びるガイド溝１９Ｅが形成されている。左の脚部１９Ｂのガイド溝１９Ｅ（図示せず）は、ガイド部材１００における左の切欠き１００Ｅから連続していて、この切欠き１００Ｅとともに左側Ｘ１へ開放されている。右の脚部１９Ｂのガイド溝１９Ｅは、ガイド部材１００における右の切欠き１００Ｅから連続していて、この切欠き１００Ｅとともに右側Ｘ２へ開放されている。
【０１２８】
第２例に係る引出防止機構９０は、左右一対のロック部材１０１と、これらのロック部材１０１の間に配置された左右一対のスライド部材１０２とを含み、装置本体１１の底壁１１Ｃの前端面１１Ｄに取り付けられている。第２例に係る引出防止機構９０は、完成品の賞品管理装置２に後付けすることができる。各スライド部１９に設けられたガイド部材１００を引出防止機構９０の一部とみなしてもよい。
【０１２９】
図２９に示すように全ての収納ユニット１２が収容位置にある状態を基準として、正面視において、左のロック部材１０１Ｌは、スライド部１９Ｌとスライド部１９Ｃとの間に配置され、右のロック部材１０１Ｒは、スライド部１９Ｒとスライド部１９Ｃとの間に配置されている。ロック部材１０１Ｌを参照して、各ロック部材１０１は、左右に細長いボックス部１０１Ａと、ボックス部１０１Ａ内の中央に固定された例えばブロック状の受け部１０１Ｂと、ボックス部１０１Ａの左端から左側Ｘ１へ延びる左アーム部１０１Ｃと、ボックス部１０１Ａの右端から右側Ｘ２へ延びる右アーム部１０１Ｄとを含む。
【０１３０】
ボックス部１０１Ａの内部空間は、少なくとも後側Ｙ２および下側Ｚ２のそれぞれへ開放されている。ボックス部１０１Ａの上面の左端部および右端部のそれぞれには、ベアリング等によって構成されて縦軸まわりに回転可能なローラ１０３が取り付けられている。左のローラ１０３の外周部の少なくとも一部は、ボックス部１０１Ａの左端よりも左側Ｘ１にはみ出している。右のローラ１０３の外周部の少なくとも一部は、ボックス部１０１Ａの右端よりも右側Ｘ２にはみ出している。
【０１３１】
装置本体１１の底壁１１Ｃの前端面１１Ｄには、左右方向Ｘから受け部１０１Ｂを挟む一対の支持部１１Ｅが設けられている。支持部１１Ｅは、左右のロック部材１０１に応じて二対存在する。受け部１０１Ｂと、その左隣の支持部１１Ｅとは、ばね等の弾性部材１０４によってつながっている。受け部１０１Ｂと、その右隣の支持部１１Ｅとは、別の弾性部材１０４によってつながっている。これにより、各ロック部材１０１は、左右方向Ｘにスライド可能に装置本体１１の底壁１１Ｃによって支持されている。そして、各ロック部材１０１は、図２９に示す中立位置に配置されるように弾性部材１０４によって左右方向Ｘに付勢されている。ロック部材１０１が中立位置にある状態では、受け部１０１Ｂを挟む２つの弾性部材１０４による付勢力は釣り合っている。
【０１３２】
左アーム部１０１Ｃは、例えば、ボックス部１０１Ａの左端から左側Ｘ１へ延びてから後側Ｙ２へ折れ曲がり、さらに上側Ｚ１へ折れ曲がっている。上側Ｚ１へ折れ曲がった部分は、左アーム部１０１Ｃの先端部である。右アーム部１０１Ｄは、例えば、ボックス部１０１Ａの右端から右側Ｘ２へ延びてから後側Ｙ２へ折れ曲がり、さらに上側Ｚ１へ折れ曲がっている。上側Ｚ１へ折れ曲がった部分は、右アーム部１０１Ｄの先端部である。
【０１３３】
左右のスライド部材１０２は、正面視では、左右方向Ｘにおいてスライド部１９Ｃと同じ位置にある。ただし、スライド部材１０２は、スライド部１９Ｃよりも低い位置にあるので、スライド部１９Ｃのスライドを邪魔しない。これらのスライド部材１０２は、左右に並んだ状態で、左右のロック部材１０１をつないでいる。なお、スライド部材１０２は、２つ存在しなくてもよく、この場合、左右のロック部材１０１をつなぐ長さを有する１本の棒であってもよい。各スライド部材１０２は、装置本体１１の底壁１１Ｃの前端面１１Ｄによって左右方向Ｘにスライド可能に支持されている。
【０１３４】
次に、第２例に係る引出防止機構９０の動きについて説明する。図３０に示すように３つ全ての収納ユニット１２が収容位置にある場合、中立位置にあるロック部材１０１Ｌでは、左アーム部１０１Ｃの先端部が、スライド部１９Ｌのガイド部材１００のロック面１００Ｄの右端部に前側Ｙ１から接触しており、右アーム部１０１Ｄの先端部が、スライド部１９Ｃのガイド部材１００のロック面１００Ｄの左端部に前側Ｙ１から接触している。また、中立位置にあるロック部材１０１Ｒでは、左アーム部１０１Ｃの先端部が、スライド部１９Ｃのガイド部材１００のロック面１００Ｄの右端部に前側Ｙ１から接触しており、右アーム部１０１Ｄの先端部が、スライド部１９Ｒのガイド部材１００のロック面１００Ｄの左端部に前側Ｙ１から接触している。これにより、全ての収納ユニット１２が収容位置においてロックされている。なお、この状態において、左アーム部１０１Ｃおよび右アーム部１０１Ｄのそれぞれの先端部は、ロック面１００Ｄに接触している必要はなく、図３０に示すように、収納ユニット１２が収容位置からほとんど前進できない程度の僅かな隙間を隔ててロック面１００Ｄに対向していればよい。なお、図３０以降の各図では、この隙間を誇張して示している。
【０１３５】
各ロック部材１０１が中立位置にあるとき、ロック部材１０１Ｌにおける左のローラ１０３は、スライド部１９Ｌのガイド部材１００の右ガイド面１００Ｃに前側Ｙ１から対向している。また、ロック部材１０１Ｌにおける右のローラ１０３は、スライド部１９Ｃのガイド部材１００の左ガイド面１００Ｂに前側Ｙ１から対向している。また、ロック部材１０１Ｒにおける左のローラ１０３は、スライド部１９Ｃのガイド部材１００の右ガイド面１００Ｃに前側Ｙ１から対向している。また、ロック部材１０１Ｒにおける右のローラ１０３は、スライド部１９Ｒのガイド部材１００の左ガイド面１００Ｂに前側Ｙ１から対向している。
【０１３６】
このように全ての収納ユニット１２が収容位置にある状態において、例えば収納ユニット１２Ｌを引き出そうとすると、ロック部材１０１Ｌにおける左のローラ１０３がスライド部１９Ｌのガイド部材１００の右ガイド面１００Ｃに押される。これにより、図３１に示すようにロック部材１０１Ｌが中立位置から右側Ｘ２へスライドする。これに応じて、スライド部材１０２も右側へスライドし、ロック部材１０１Ｒも中立位置から右側Ｘ２へスライドする。このようにロック部材１０１Ｌがスライドすると、ロック部材１０１Ｌの左アーム部１０１Ｃの先端部がスライド部１９Ｌのガイド部材１００のロック面１００Ｄから右側Ｘ２へ外れるので、収納ユニット１２Ｌの引き出しが可能になる。収納ユニット１２Ｌのスライド中には、この左アーム部１０１Ｃは、ガイド部材１００における右の切欠き１００Ｅや、スライド部１９Ｌの右の脚部１９Ｂのガイド溝１９Ｅに通される。また、ロック部材１０１Ｌにおける左のローラ１０３が当該右の脚部１９Ｂの側面に沿って回転する。これにより、収納ユニット１２Ｌのスライドが邪魔されない。
【０１３７】
一方、ロック部材１０１Ｒの左アーム部１０１Ｃの先端部がスライド部１９Ｃのガイド部材１００のロック面１００Ｄから右側Ｘ２へ外れるものの、ロック部材１０１Ｌの右アーム部１０１Ｄの先端部がスライド部１９Ｃのガイド部材１００のロック面１００Ｄに引き続き接触し、かつ、ロック部材１０１Ｒの右アーム部１０１Ｄの先端部がスライド部１９Ｒのガイド部材１００のロック面１００Ｄに引き続き接触している。そのため、収納ユニット１２Ｌ以外の収納ユニット１２Ｃおよび１２Ｒは、引き続き収容位置においてロックされている。収納ユニット１２Ｌを収容位置まで戻すと、各ロック部材１０１は中立位置まで戻る。
【０１３８】
全ての収納ユニット１２が収容位置にある状態（図３０参照）において、例えば収納ユニット１２Ｃを引き出そうとする。すると、ロック部材１０１Ｌにおける右のローラ１０３がスライド部１９Ｃのガイド部材１００の左ガイド面１００Ｂに押され、ロック部材１０１Ｒにおける左のローラ１０３がスライド部１９Ｃのガイド部材１００の右ガイド面１００Ｃに押される。これにより、図３２に示すように、ロック部材１０１Ｌが中立位置から左側Ｘ１へスライドし、ロック部材１０１Ｒが中立位置から右側Ｘ２へスライドする。このとき、スライド部材１０２は静止していてもよいし、例えば、左のスライド部材１０２がロック部材１０１Ｌと一緒にスライドして、右のスライド部材１０２がロック部材１０１Ｒと一緒にスライドしてもよい。
【０１３９】
このようにロック部材１０１Ｌおよびロック部材１０１Ｒが逆向きにスライドすると、ロック部材１０１Ｌの右アーム部１０１Ｄの先端部がスライド部１９Ｃのガイド部材１００のロック面１００Ｄから左側Ｘ１へ外れ、ロック部材１０１Ｒの左アーム部１０１Ｃの先端部が当該ロック面１００Ｄから右側Ｘ２へ外れる。これにより、収納ユニット１２Ｃの引き出しが可能になる。収納ユニット１２Ｃのスライド中には、ロック部材１０１Ｌの右アーム部１０１Ｄは、スライド部１９Ｃのガイド部材１００における左の切欠き１００Ｅや、スライド部１９Ｃの左の脚部１９Ｂのガイド溝１９Ｅに通される。また、ロック部材１０１Ｒの左アーム部１０１Ｃは、スライド部１９Ｃのガイド部材１００における右の切欠き１００Ｅや、スライド部１９Ｃの右の脚部１９Ｂのガイド溝１９Ｅに通される。また、ロック部材１０１Ｌにおける右のローラ１０３が当該左の脚部１９Ｂの側面に沿って回転し、ロック部材１０１Ｒにおける左のローラ１０３が当該右の脚部１９Ｂの側面に沿って回転する。これにより、収納ユニット１２Ｃのスライドが邪魔されない。
【０１４０】
一方、ロック部材１０１Ｌの左アーム部１０１Ｃがスライド部１９Ｌのガイド部材１００のロック面１００Ｄに引き続き接触し、かつ、ロック部材１０１Ｒの右アーム部１０１Ｄがスライド部１９Ｒのガイド部材１００のロック面１００Ｄに引き続き接触している。そのため、収納ユニット１２Ｃ以外の収納ユニット１２Ｌおよび１２Ｒは、引き続き収容位置においてロックされている。収納ユニット１２Ｃを収容位置まで戻すと、各ロック部材１０１は中立位置まで戻る。
【０１４１】
全ての収納ユニット１２が収容位置にある状態（図３０参照）において、例えば収納ユニット１２Ｒを引き出そうとすると、ロック部材１０１Ｒにおける右のローラ１０３がスライド部１９Ｒのガイド部材１００の左ガイド面１００Ｂに押される。これにより、図３３に示すようにロック部材１０１Ｒが中立位置から左側Ｘ１へスライドする。これに応じて、スライド部材１０２も左側Ｘ１へスライドし、ロック部材１０１Ｌも中立位置から左側Ｘ１へスライドする。このようにロック部材１０１Ｒがスライドすると、ロック部材１０１Ｒの右アーム部１０１Ｄの先端部がスライド部１９Ｒのガイド部材１００のロック面１００Ｄから左側Ｘ１へ外れるので、収納ユニット１２Ｒの引き出しが可能になる。収納ユニット１２Ｒのスライド中には、この右アーム部１０１Ｄは、ガイド部材１００における左の切欠き１００Ｅや、スライド部１９Ｒの左の脚部１９Ｂのガイド溝１９Ｅに通される。また、ロック部材１０１Ｒにおける右のローラ１０３が当該左の脚部１９Ｂの側面に沿って回転する。これにより、収納ユニット１２Ｒのスライドが邪魔されない。
【０１４２】
一方、ロック部材１０１Ｌの右アーム部１０１Ｄの先端部がスライド部１９Ｃのガイド部材１００のロック面１００Ｄから左側Ｘ１へ外れるものの、ロック部材１０１Ｒの左アーム部１０１Ｃの先端部がスライド部１９Ｃのガイド部材１００のロック面１００Ｄに引き続き接触し、かつ、ロック部材１０１Ｌの左アーム部１０１Ｃの先端部がスライド部１９Ｌのガイド部材１００のロック面１００Ｄに引き続き接触している。そのため、収納ユニット１２Ｒ以外の収納ユニット１２Ｃおよび１２Ｌは、引き続き収容位置においてロックされている。収納ユニット１２Ｒを収容位置まで戻すと、各ロック部材１０１は中立位置まで戻る。
【０１４３】
この発明は、以上の実施形態の内容に限定されるものではなく、請求項に記載の範囲内において種々の変更が可能である。また、以上に説明した様々な特徴は、適宜組み合わせることができる。
【符号の説明】
【０１４４】
３      賞品払出装置
１１    装置本体
１２    収納ユニット
１３Ｃ  払出口
１８    表示部
３５    収納部
４９    払出部
５１    制御部
Ｐ      賞品
【図１】
2020162727.tif 000003
【図２】
2020162727.tif 000004
【図３】
2020162727.tif 000005
【図４】
2020162727.tif 000006
【図５】
2020162727.tif 000007
【図６】
2020162727.tif 000008
【図７】
2020162727.tif 000009
【図８】
2020162727.tif 000010
【図９】
2020162727.tif 000011
【図１０】
2020162727.tif 000012
【図１１】
2020162727.tif 000013
【図１２】
2020162727.tif 000014
【図１３】
2020162727.tif 000015
【図１４】
2020162727.tif 000016
【図１５】
2020162727.tif 000017
【図１６】
2020162727.tif 000018
【図１７】
2020162727.tif 000019
【図１８】
2020162727.tif 000020
【図１９】
2020162727.tif 000021
【図２０】
2020162727.tif 000022
【図２１】
2020162727.tif 000023
【図２２】
2020162727.tif 000024
【図２３】
2020162727.tif 000025
【図２４】
2020162727.tif 000026
【図２５】
2020162727.tif 000027
【図２６】
2020162727.tif 000028
【図２７】
2020162727.tif 000029
【図２８】
2020162727.tif 000030
【図２９】
2020162727.tif 000031
【図３０】
2020162727.tif 000032
【図３１】
2020162727.tif 000033
【図３２】
2020162727.tif 000034
【図３３】
2020162727.tif 000035